(57)【要約】【課題】発信源の位置を高い精度で特定する。【解決手段】アンテナ付き着衣に、少なくとも第一の方向に配列された複数のアンテナを含む第一のアンテナ群と、該第一の方向と異なる少なくとも第二の方向に、その各々が、第一のアンテナ群の中の幾つかのアンテナと交差するように配列された複数のアンテナを含む第二のアンテナ群を備える。【選択図】図５
2008099734.tif 000002
【特許請求の範囲】
【請求項１】
外部機器からの信号を受信する機能を有したアンテナ付き着衣において、
少なくとも第一の方向に配列された複数のアンテナを含む第一のアンテナ群と、
該第一の方向と異なる少なくとも第二の方向に、その各々が、前記第一のアンテナ群の中の幾つかのアンテナと交差するように配列された複数のアンテナを含む第二のアンテナ群と、を備えたこと、を特徴とするアンテナ付き着衣。
【請求項２】
外部機器からの信号を受信する機能を有したアンテナ付き着衣において、
各々が、少なくとも二つの方向に延在し、他の幾つかのアンテナと交差する複数のアンテナを備えたこと、を特徴とするアンテナ付き着衣。
【請求項３】
前記複数のアンテナの各々に接続され、その受信強度の情報を取得でき、互いに通信可能な複数の通信チップと、
各前記通信チップとそれぞれに対応する前記アンテナとを接続／分離するためのコネクタと、を更に備えたこと、を特徴とする請求項１又は請求項２のいずれかに記載のアンテナ付き着衣。
【請求項４】
外部機器からの信号を受信してその位置を特定する機能を有したアンテナ付き着衣システムにおいて、
少なくとも第一の方向に配列された複数のアンテナを含む第一のアンテナ群と、
該第一の方向と異なる少なくとも第二の方向に、その各々が、前記第一のアンテナ群の中の幾つかのアンテナと交差するように配列された複数のアンテナを含む第二のアンテナ群と、
前記第一のアンテナ群及び前記第二のアンテナ群に含まれた各アンテナの受信強度を検出してその情報を取得する強度情報取得手段と、
取得された強度情報の各々を比較する強度情報比較手段と、
比較結果に基づいて少なくとも二本のアンテナを特定するアンテナ特定手段と、を備え、
特定アンテナを参照し、該外部機器の位置を特定すること、を特徴とするアンテナ付き着衣システム。
【請求項５】
特定アンテナの強度情報を取得した時刻を計時する計時手段と、
該時刻と特定アンテナとを関連付けて記憶する記憶手段と、を更に備え、
特定アンテナに加えて該時刻も参照し、該外部機器の位置を特定すること、を特徴とする請求項４に記載のアンテナ付き着衣システム。
【請求項６】
取得された強度情報が所定数に満たない場合、今回取得された強度情報のアンテナに加え、前記記憶手段に記憶されている強度情報も参照し、該外部機器の位置を特定すること、を特徴とする請求項５に記載のアンテナ付き着衣システム。
【請求項７】
最も高い受信強度を有するアンテナにより、外部機器からの信号を捕捉すること、を特徴とする請求項４から請求項６のいずれかに記載のアンテナ付き着衣システム。
【請求項８】
外部機器からの信号を受信してその位置を特定する機能を有したアンテナ付き着衣システムにおいて、
各々が、少なくとも二つの方向に延在し、他の幾つかのアンテナと交差する複数のアンテナと、
前記複数のアンテナの各々に接続され、その受信強度の情報を取得でき、互いに通信可能な複数の通信チップと、
前記複数の通信チップからの信号を処理し記録する制御ユニットと、を備え、
前記複数の通信チップの各々は、自身と他の通信チップが取得した強度情報を比較し、比較結果を、隣接する通信チップを介して前記制御ユニットに出力し、
前記制御ユニットは、比較結果に基づいて前記通信チップを制御すること、を特徴とするアンテナ付き着衣システム。
【請求項９】
該比較結果は、前記通信チップの識別情報とそれが取得した強度情報とを関連付けたチップデータを、少なくとも二つ含んだこと、を特徴とする請求項８に記載のアンテナ付き着衣システム。
【請求項１０】
前記複数の通信チップの各々は、自身が取得した強度情報が、該比較結果に含まれる少なくとも二つの強度情報の中のいずれか一つよりも高い場合、当該比較結果に自身のチップデータを書き込むこと、を特徴とする請求項９に記載のアンテナ付き着衣システム。
【請求項１１】
前記制御ユニットは、該比較結果を参照し、最も高い強度情報を取得した通信チップを、外部機器からの信号を捕捉する通信チップとして設定すること、を特徴とする請求項８から請求項１０のいずれかに記載のアンテナ付き着衣システム。
【請求項１２】
各前記通信チップとそれぞれに対応する前記アンテナとを接続／分離するためのコネクタを更に備えたこと、を特徴とする請求項８から請求項１１のいずれかに記載のアンテナ付き着衣システム。
【請求項１３】
体腔内に投入されるカプセル型内視鏡であって、該体腔内の画像を撮像して信号を生成し、生成された信号を外部に無線で発信するカプセル型内視鏡と、
前記カプセル型内視鏡から発信された信号を受信して処理し、前記制御ユニット内の所定の記憶装置に記憶する、請求項４から請求項１２のいずれかに記載のアンテナ付き着衣システムと、
記憶された信号を用いて該体腔内の映像を表示するモニタと、該体腔内の状態を解析する機能を備えたこと、を特徴とする内視鏡システム。
【発明の詳細な説明】
【技術分野】
【０００１】
この発明は、外部機器からの信号を受信する機能を有したアンテナ付き着衣、当該信号に基づいて外部機器を特定する機能を有したアンテナ付き着衣システム、及び、アンテナ付き着衣システムを備えた内視鏡システムに関する。
【背景技術】
【０００２】
術者が被験者の体腔内を観察する場合、ケーブルやファイバを配置した可撓管の先端部にある撮像素子によって当該体腔内の画像を撮像する電子内視鏡が広く利用されている。しかしながらこのような内視鏡は、長い可撓管を体腔内に挿入する形態である為、被験者にとって負担となっている。また、このような内視鏡では、その内部が細長く且つ蛇行した腸類に挿入させることが難しい。そこで近年、被験者の負担を軽減させると共に腸類の観察も想定したカプセル型の内視鏡を備えた様々なシステムが提案されている（例えば特許文献１）。
【特許文献１】特開２００３−１９１１１号公報
【０００３】
上記特許文献１に記載されたシステムは、複数のアンテナを搭載したベルトを被験者の体に巻き付けたり接着したりし、体腔内に投入したカプセル型内視鏡から発信される電波を当該アンテナによって受信させ、その発信源の位置を探知するものである。なお、当該文献において、カプセル型内視鏡は、体腔内の状態を測定するものや、体腔内の画像を撮像するものとして記載されている。
【発明の開示】
【発明が解決しようとする課題】
【０００４】
しかしながら上記特許文献１に示されたようなアンテナ付き着衣では、多くのアンテナを当該着衣上に配置できない為、発信源の位置特定の精度が低い。
【０００５】
そこで、本発明は上記の事情に鑑み、発信源の位置を高い精度で特定する為にアンテナを効率良く配置したアンテナ付き着衣、発信源の位置を高い精度で特定できるアンテナ付き着衣システム、及び、このようなアンテナ付き着衣システムを備えた内視鏡システムを提供することを目的とする。
【課題を解決するための手段】
【０００６】
上記の課題を解決する本発明の一態様に係るアンテナ付き着衣は、外部機器からの信号を受信する機能を有したものであり、少なくとも第一の方向に配列された複数のアンテナを含む第一のアンテナ群と、該第一の方向と異なる少なくとも第二の方向に、その各々が、第一のアンテナ群の中の幾つかのアンテナと交差するように配列された複数のアンテナを含む第二のアンテナ群を備えている。
【０００７】
また、上記の課題を解決する本発明の別の態様に係るアンテナ付き着衣は、外部機器からの信号を受信する機能を有したものであり、各々が、少なくとも二つの方向に延在し、他の幾つかのアンテナと交差する複数のアンテナを備えている。
【０００８】
ここで、上記アンテナ付き着衣は、例えば複数のアンテナの各々に接続され、その受信強度の情報を取得でき、互いに通信可能な複数の通信チップと、各通信チップとそれぞれに対応するアンテナとを接続／分離するためのコネクタとを更に備えたものであっても良い。
【０００９】
また、上記の課題を解決する本発明の一態様に係るアンテナ付き着衣システムは、外部機器からの信号を受信してその位置を特定する機能を有したものであり、少なくとも第一の方向に配列された複数のアンテナを含む第一のアンテナ群と、該第一の方向と異なる少なくとも第二の方向に、その各々が、第一のアンテナ群の中の幾つかのアンテナと交差するように配列された複数のアンテナを含む第二のアンテナ群と、第一のアンテナ群及び第二のアンテナ群に含まれた各アンテナの受信強度を検出してその情報を取得する強度情報取得手段と、取得された強度情報の各々を比較する強度情報比較手段と、比較結果に基づいて少なくとも二本のアンテナを特定するアンテナ特定手段を備えており、特定アンテナを参照し、該外部機器の位置を特定する。
【００１０】
なお、上記アンテナ付き着衣システムは、特定アンテナの強度情報を取得した時刻を計時する計時手段と、該時刻と特定アンテナとを関連付けて記憶する記憶手段を更に備えたものであっても良く、特定アンテナに加えて該時刻も参照し、該外部機器の位置を特定することができる。なお、取得された強度情報が所定数に満たない場合、今回取得された強度情報のアンテナに加え、記憶手段に記憶された強度情報も参照し、該外部機器の位置を特定することもできる。
【００１１】
また、上記アンテナ付き着衣システムでは、最も高い受信強度を有するアンテナにより、外部機器からの信号を捕捉することができる。
【００１２】
また、上記の課題を解決する本発明の別の態様に係るアンテナ付き着衣システムは、外部機器からの信号を受信してその位置を特定する機能を有したものであり、各々が、少なくとも二つの方向に延在し、他の幾つかのアンテナと交差する複数のアンテナと、複数のアンテナの各々に接続され、その受信強度の情報を取得でき、互いに通信可能な複数の通信チップと、複数の通信チップからの信号を処理し記録する制御ユニットを備えている。そして複数の通信チップの各々は、自身と他の通信チップが取得した強度情報を比較し、比較結果を隣接する通信チップを介して制御ユニットに出力する。更に、制御ユニットは、比較結果に基づいて通信チップを制御する。
【００１３】
なお、上記アンテナ付き着衣システムでは、該比較結果は、通信チップの識別情報とそれが取得した強度情報とを関連付けたチップデータを少なくとも二つ含んだものであっても良い。また、複数の通信チップの各々は、自身が取得した強度情報が、該比較結果に含まれる少なくとも二つの強度情報の中のいずれか一つよりも高い場合、当該比較結果に自身のチップデータを書き込むことができる。
【００１４】
また、上記アンテナ付き着衣システムでは、制御ユニットは、該比較結果を参照し、最も高い強度情報を取得した通信チップを、外部機器からの信号を捕捉する通信チップとして設定することができる。
【００１５】
また、上記アンテナ付き着衣システムは、例えば各通信チップとそれぞれに対応するアンテナとを接続／分離するためのコネクタを更に備えたものであっても良い。
【００１６】
また、上記の課題を解決する本発明の一態様に係る内視鏡システムは、体腔内に投入されるカプセル型内視鏡であって、該体腔内の画像を撮像して信号を生成し、生成された信号を外部に無線で発信するカプセル型内視鏡と、カプセル型内視鏡から発信された信号を受信して処理し、制御ユニット内の所定の記憶装置に記憶する上述したいずれかのアンテナ付き着衣システムと、記憶された信号を用いて、該体腔内の映像を表示するモニタと該体腔内の状態を解析する機能を備えている。
【発明の効果】
【００１７】
本発明のアンテナ付き着衣、アンテナ付き着衣システム、及び、内視鏡システムを採用すると、発信源の位置を二次元で囲まれた領域内に特定することができる為、当該発信源が位置し得る領域を狭い範囲に特定することができる。
【発明を実施するための最良の形態】
【００１８】
以下、図面を参照して、本発明の実施の形態の内視鏡システムの構成及び作用について説明する。
【実施例１】
【００１９】
図１は、本発明の実施例１の内視鏡システム１０の構成を示したブロック図である。術者は、本実施例１の内視鏡システム１０を使用することにより、被験者１の体腔内の様相を観察し、当該被験者１を診断することができる。
【００２０】
内視鏡システム１０は、カプセル型内視鏡１００、アンテナ付きジャケット２００、及び、モニタ付きＰＣを含む外部処理システム３００を有している。カプセル型内視鏡１００は、被験者１の体腔内を撮像する為に当該体腔内に投入される小型の内視鏡である。アンテナ付きジャケット２００は、体腔内を観察する為に被験者１に着用させるジャケットであり、カプセル型内視鏡１００から発信される画像情報を含んだ信号（以下、「ビデオ信号」と称する）を取得することができる。外部処理システム３００は、アンテナ付きジャケット２００で取得された画像情報を表示、解析することが出来る。ここでいう解析とは、例えば取得された画像情報に基づいて、体腔内の表面形状やその分布の傾向、或いは、画像情報の色信号成分の体腔内表面の色分布の傾向を分析し、通常状態（正常部分）と異なる状態の部分を抽出することを示す。これにより、大量に取得された画像情報に基づき、異常がありそうな部分の候補を予めピックアップすることができ、診断の高速化等が可能となる。なお、本システムにおいて外部処理システム３００は、常にアンテナ付ジャケット２００及び制御ユニット２２０と接続している必要はない。
【００２１】
図２は、本実施例１のカプセル型内視鏡１００の構成を示したブロック図である。カプセル型内視鏡１００は、微小な内視鏡である為、細長く且つ蛇行した腸類に容易に進入してその内部を撮像することができる。カプセル型内視鏡１００は、各構成要素に電源を供給する電源部１０２、全体の制御を司る制御部１０４、各種データが記憶されるメモリ１０６、体腔内を照明する２つの照明部１０８、体腔内を観察する為の対物光学系１１０、体腔内の画像を撮像する固体撮像素子１１２、外部（ここではアンテナ付きジャケット２００）との間で通信を行うための発信部１１４、及び、送受信するアンテナ部１１５を備えている。
【００２２】
電源がオンされて被験者１の体腔内に投入されると、カプセル型内視鏡１００は、照明部１０８によって当該体腔内を照明する。体腔内の壁部などで反射された照明光は、対物光学系１１０に入射され、対物光学系１１０の像側焦点面上にその受光面を有した固体撮像素子１１２に受光される。
【００２３】
固体撮像素子１１２は、受光された反射光を光電変換し、「ビデオ信号」を生成する。制御部１０４は、発信部１１４を制御し、生成された「ビデオ信号」を変調する。変調された「ビデオ信号」は、アンテナ部１１５を介して外部に発信される。本実施例１において、アンテナ部１１５から発信された「ビデオ信号」は、アンテナ付きジャケット２００によって受信される。
【００２４】
次に、本実施例１のアンテナ付きジャケット２００の構成及び作用について説明する。本実施例１のアンテナ付きジャケット２００は、複数のアンテナを効率良く配置することにより、外部機器（ここではカプセル型内視鏡１００）の位置特定を高い精度で実現させ得たものである。
【００２５】
図３は、本実施例１の内視鏡システム１０の中からアンテナ付きジャケット２００を抽出して示した図である。また、図４は、アンテナ付きジャケット２００の断面図である。図４（ａ）は図３のＡ−Ａ断面を示した図であり、図４（ｂ）は図３のＢ−Ｂ断面を示した図である。
【００２６】
なお、本実施例１のアンテナ付きジャケット２００では、アンテナによって捕捉された外部機器からの信号や他の各種信号を、周知の二次元拡散信号伝送（２ Dimension- Diffusive Signal-Transmission）テクノロジ（以下、「２Ｄ−ＤＳＴ」と称する）によって後述の制御ユニット２２０に伝送している。この為、アンテナ付きジャケット２００内部には、有線ケーブルや銅箔のパターンを用いることなく、例えばカプセル型内視鏡１００から発信された信号を伝送する回路が構築され得る。
【００２７】
ここで、上記２Ｄ−ＤＳＴとは、特開平２００３−１８８８８２号公報やウェブ上（株式会社セルクロス、[平成１８年８月検索]、インターネット、〈http://www.cellcross.co.jp/technology.html〉）で開示された技術であって、個別に配線を必要とすることなく、複数の素子（以下、ＤＳＴ（Diffusive Signal-Transmission）チップと称する）の各々が中継地点として機能し、信号を目的地に向けてパケットで伝送させていく技術である。
【００２８】
アンテナ付きジャケット２００は、被験者１の体の一部を覆うよう型取られている。そしてその上側（着用時に被験者１の胸部付近に位置する箇所）には、２Ｄ−ＤＳＴによる信号伝送を実行する為の帯状の信号伝送基板１２０Ｕが、ジャケット全周に渡って一続きに内在している。また、その下側端部にも、同様の信号伝送基板１２０Ｄが、ジャケット全周に渡って一続きに内在している。なお、信号伝送基板１２０Ｕ及び１２０Ｄには、その長手方向に沿ってＤＳＴチップ２３０（ＤＳＴチップの内容については後述）が複数配置されている。また、これらの信号伝送基板１２０Ｕ及び１２０Ｄは、その一部において制御ユニット２２０に接続されている。
【００２９】
制御ユニット２２０は、信号伝送基板１２０Ｕ及び１２０Ｄにおいて構築され得る信号伝送の回路全体を制御したり、入力された信号を処理、記録したりするユニットである。あるＤＳＴチップ２３０からの信号は、それぞれの基板において、２Ｄ−ＤＳＴにより、各ＤＳＴチップ２３０を中継して制御ユニット２２０に伝送される。
【００３０】
図４に示されるように、アンテナ付きジャケット２００は、例えば絶縁ゴムや絶縁性の布等の柔軟性及び絶縁性を有した計六枚の絶縁シート１１１〜１１６を積層させたものである。絶縁シート１１１はアンテナ付きジャケット２００の裏側（被験者側）に位置し、各絶縁シートは、絶縁シート１１１、１１２、１１３、１１４、１１５、１１６の順に積層されている。なお、絶縁シート１１１及び１１６は、アンテナ付きジャケット２００の内部と外部とを絶縁している。また、絶縁シート１１２〜１１５は、信号伝送基板１２０Ｕ及び１２０Ｄと、カプセル型内視鏡１００からの信号を受信する複数のアンテナ１４０及び１５０を埋設している。
【００３１】
信号伝送基板１２０Ｕは、グランド層１２２Ｕ、信号層１２４Ｕ、及び、複数のＤＳＴチップ２３０を有している。グランド層１２２Ｕ及び信号層１２４Ｕは、例えば導電ゴムや導電体が織り込まれた布等の柔軟性及び導電性を有したシートから成る。２Ｄ−ＤＳＴによる信号伝送が実行されるとき、グランド層１２２Ｕはグランド電位となる信号層を成し、信号層１２４Ｕは、ＤＳＴチップ２３０間で所定の信号（例えばアンテナによって受信された「ビデオ信号」（以下、「受信ビデオ信号」と称する））を伝送するための信号層を成す。なお、グランド層１２２Ｕは絶縁シート１１３に埋設されており、信号層１２４Ｕは絶縁シート１１５に埋設されている。従って、グランド層１２２Ｕと信号層１２４Ｕは互いに絶縁された状態で積層されている。また、ＤＳＴチップ２３０は、絶縁シート１１３及び１１４に跨るように埋設されている。
【００３２】
アンテナ１４０は、信号伝送基板１２０Ｕから信号伝送基板１２０Ｄ近傍に掛けて所定の方向に沿って延在する棒状または平面状のアンテナであり、隣接するアンテナ１４０と互いに平行になるように複数本配列されている。各アンテナ１４０は、絶縁シート１１２に埋設されており、信号伝送基板１２０Ｕ中の一つのＤＳＴチップ２３０と接続されている。
【００３３】
また、信号伝送基板１２０Ｄは、グランド層１２２Ｄ、信号層１２４Ｄ、及び、複数のＤＳＴチップ２３０を有している。グランド層１２２Ｄ及び信号層１２４Ｄは、グランド層１２２Ｕ及び信号層１２４Ｕと同様の構成及び機能を有している。なお、グランド層１２２Ｄは絶縁シート１１４に埋設されており、信号層１２４Ｄは絶縁シート１１２に埋設されている。従って、グランド層１２２Ｄと信号層１２４Ｄは互いに絶縁された状態で積層されている。また、ＤＳＴチップ２３０は、絶縁シート１１３及び１１４に跨るように埋設されている。
【００３４】
アンテナ１５０は、信号伝送基板１２０Ｄから信号伝送基板１２０Ｕ近傍に掛けて、何本かのアンテナ１４０と交差して延在する棒状、または平面状のアンテナであり、隣接するアンテナ１５０と互いに平行になるように複数本配列されている。各アンテナ１５０は、絶縁シート１１５に埋設されており、信号伝送基板１２０Ｄ中の一つのＤＳＴチップ２３０と接続されている。
【００３５】
上述したようにアンテナ１４０とアンテナ１５０は互いに交差して配列されている。ここで、図５に、アンテナ付きジャケット２００中の絶縁シート１１１〜１１６を除いた構成を示した図であって、当該構成を二次元に展開した概略図を示す。図５に示されるように、各アンテナ１４０は、何本かのアンテナ１５０と二次元平面上において交差している。また、各アンテナ１５０は、何本かのアンテナ１４０と二次元平面上において交差している。なお、図５において、アンテナ１４０Ｕ１、１４０Ｕ２、１４０Ｕ３、１４０Ｕ４、１４０Ｕ５は、ＤＳＴチップ２３０Ｕ１、２３０Ｕ２、２３０Ｕ３、２３０Ｕ４、２３０Ｕ５にそれぞれ接続されている。また、アンテナ１５０Ｄ１、１５０Ｄ２、１５０Ｄ３、１５０Ｄ４、１５０Ｄ５は、ＤＳＴチップ２３０Ｄ１、２３０Ｄ２、２３０Ｄ３、２３０Ｄ４、２３０Ｄ５にそれぞれ接続されている。
【００３６】
次に、ＤＳＴチップ２３０の構成及び作用について説明する。ＤＳＴチップ２３０は、アンテナ１４０又は１５０によって受信された信号を捕捉する機能と、２Ｄ−ＤＳＴによって制御ユニット２２０に当該信号を伝送する機能を有している。
【００３７】
図６は、本実施例１のＤＳＴチップ２３０の構成を示したブロック図である。ＤＳＴチップ２３０は、制御部２３２、メモリ２３４、及び、通信部２３６を有している。
【００３８】
制御部２３２は、当該チップ全体の制御を統括的に実行するものであり、アンテナ１４０又は１５０によって受信された信号を補足し、２Ｄ−ＤＳＴによる信号伝送を実行出来る形態に受信信号を処理することができる。メモリ２３４は、自身のＩＤ情報（アンテナ付きジャケット２００上における位置情報を含むものであっても良い）、所定の目的地に向けて信号伝送する為の経路情報等を記憶しており、さらに、アンテナ１４０又は１５０によって受信された信号を一時的に保持することができる。通信部２３６は、２Ｄ−ＤＳＴによる信号伝送を実行する為に、隣接したＤＳＴチップ２３０との通信を果たす。
【００３９】
制御部２３２によって捕捉された信号は、所定の目的地である制御ユニット２２０に向け、信号伝送基板１２０Ｕ又は１２０Ｄ中の各ＤＳＴチップ２３０を中継して伝送されていく。
【００４０】
図７は、本実施例１の制御ユニット２２０の構成を示したブロック図である。制御ユニット２２０は、制御部２２１、電源２２２、通信部２２３、メモリ２２４、信号処理部２２５、及び、インターフェース部２２６を有している。
【００４１】
制御部２２１は、アンテナ付きジャケット２００全体を統括的に制御する。電源２２２は、アンテナ付きジャケット２００全体の電源として機能する。例えば各ＤＳＴチップ２３０の駆動電源は、２Ｄ−ＤＳＴによって信号層１２４を介し、電源２２２から供給される。また、通信部２２３は、２Ｄ−ＤＳＴによって信号層１２４を介し、制御ユニット２２０に最も近接したＤＳＴチップ２３０との通信を果たす。このため、信号層１２４では、前記の通信時における信号と電源２２２から供給される電源とが重畳された状態で伝送される。メモリ２２４は、各種制御用プログラムや、各アンテナ１４０又は１５０及び各ＤＳＴチップ２３０に関する情報を記憶し、ＤＳＴチップ２３０からの伝送信号等を含む各種データを格納することができる。信号処理部２２５は、上記伝送信号の一つである「受信ビデオ信号」等の情報に所定の処理を施し、それらをメモリ２２４に送り記憶させたり、インターフェース部２６６を介し外部処理システム３００に信号を出力する為の処理を行うことが出来る。インターフェース部２２６は、外部装置との信号、及び外部電源との接続部である。本実施例１では、制御ユニット２２０を、インターフェース部２２６によって外部処理システム３００といった外部装置と接続させることができる。なお、制御部２２１は、時刻を計時する計時部２２１を有しており、計時した時刻情報を必要に応じてメモリ２２４に格納させることができる。
【００４２】
図８は、本実施例１の制御ユニット２２０（より正確には制御部２２１）が実行する処理であって、体腔内に投入されたカプセル型内視鏡１００の位置を特定する位置特定処理を示したフローチャートである。なお、本実施例１の位置特定処理は、電源２２２がオンされると開始され、電源２２２がオフされると終了する。
【００４３】
制御ユニット２２０の電源スイッチがオンされると、制御部２２１は、自身を初期化し（ステップ１、以下、ステップをＳと略記）、全てのＤＳＴチップ２３０に、電源２２２によって電力を供給すると共に初期化命令を出力する（Ｓ２）。なお、電力は、２Ｄ−ＤＳＴによって信号層１２４を介して各ＤＳＴチップ２３０に供給される。また、初期化命令は、信号層１２４Ｄ及び１２４Ｕを介して各ＤＳＴチップ２３０に受信される。
【００４４】
各ＤＳＴチップ２３０は、電力が供給されて初期化命令を受信すると、自身周辺のチップとの相対位置関係情報（隣のチップはどれであるかというような一種の位置情報）を取得し自己のＩＤ情報の一部とすると共に、自身に接続されたアンテナ１４０又は１５０の受信強度を検出し、その強度情報をメモリ２３４に一時的に格納する。そして当該メモリ２３４を読み込み、格納された強度情報と自身のＩＤ情報とを関連付けた「チップデータ」を作成し、当該「チップデータ」を、伝送経路情報に基づいて２Ｄ−ＤＳＴによって制御ユニット２２０に伝送する。各ＤＳＴチップ２３０からの「チップデータ」を受信すると、制御部２２１は、それらの「チップデータ」をメモリ２２４に格納する（Ｓ３）。
【００４５】
制御部２２１は、全てのＤＳＴチップ２３０からの「チップデータ」を取得した時点で、それらの各々に含まれる強度情報を比較する（Ｓ４）。そしてその比較結果の中で、最も高い強度情報を出力したＤＳＴチップ２３０（すなわち受信強度が最も高いアンテナに接続されたＤＳＴチップ２３０）を、外部機器すなわちカプセル型内視鏡１００からの「ビデオ信号」を受信して捕捉する「信号捕捉チップ」として設定する。また、二番目に高い強度情報、三番目に高い強度情報、及び、四番目に高い強度情報を出力したＤＳＴチップ２３０を、引き続き「チップデータ」を出力する「チップデータ出力チップ」として設定する（Ｓ５）。
【００４６】
Ｓ５の処理でチップを設定すると、制御部２２１は、「信号捕捉チップ」として設定した一つのＤＳＴチップ２３０に、「受信ビデオ信号」を捕捉し、捕捉された「受信ビデオ信号」と「チップデータ」とを送信させる送信命令を出力する。また、「チップデータ出力チップ」として設定した三つのＤＳＴチップ２３０に、「チップデータ」を送信させる送信命令を出力する（Ｓ６）。
【００４７】
なお、「信号捕捉チップ」は、制御部２２１からの送信命令を受信すると、ある程度の容量の「受信ビデオ信号」（例えば１フレームに相当する「受信ビデオ信号」）をメモリ２３４に蓄積する。そして前記の容量の「受信ビデオ信号」が蓄積されると、当該「受信ビデオ信号」と「チップデータ」とを制御ユニット２２０に出力する。そしてこれ以降は、自身が「信号捕捉チップ」に設定されている限り、送信命令の有無に拘わらず、前記の容量の「受信ビデオ信号」が蓄積される度に当該「受信ビデオ信号」と「チップデータ」とを制御ユニット２２０に出力する。
【００４８】
制御部２２１は、「信号捕捉チップ」及び各「チップデータ出力チップ」からの信号を受信すると（Ｓ７）、計時部２２１ａによって計時された時刻であって、「信号捕捉チップ」からの信号を受信した時刻を、各チップからの受信信号と共に一つのデータ（以下、このデータを「受信データ」と称する）としてメモリ２２４に格納する（Ｓ８）。なお、制御部２２１は、ここで格納された「受信データ」に含まれる「受信ビデオ信号」に対し、信号処理部２２５によって所定の処理を施した状態でメモリ２２４に格納することも出来る。
そして、信号処理部２２５、インターフェース部２２６を介し、処理された信号を外部処理システム３００に出力する。これにより、外部処理システム３００において、体腔内の観察画像が表示され、これに基づいて患部の状態を解析することができる。
【００４９】
制御部２２１は、次に、受信状況が悪い場合にも位置特定をできる限り精度良く実行する為に、「受信データ」に含まれる強度情報が四つ全て揃っているか否かを判定する（Ｓ９）。強度情報が四つ全て揃っていると判定した場合（Ｓ９：ＹＥＳ）、制御部２２１は、これらの強度情報に関連付けられたＩＤ情報を参照し、カプセル型内視鏡１００の位置を特定する（Ｓ１１）。
【００５０】
ここで、図５を用い、制御部２２１で実行される位置特定のアルゴリズムを説明する。なお、以下では説明を簡潔にする為に、アンテナの受信強度は、基本的には、当該アンテナとカプセル型内視鏡１００との距離に比例し、その他の要因には左右されないものとする。
【００５１】
カプセル型内視鏡１００が位置Ｐにあるとき、当該位置Ｐの最も近くに位置するアンテナ１５０Ｄ２の受信強度が最も高く、アンテナ１４０Ｕ２の受信強度が二番目に高く、アンテナ１４０Ｕ３の受信強度が三番目に高く、アンテナ１５０Ｄ３の受信強度が四番目に高くなる。制御部２２１は、これら四本のアンテナの強度情報に基づき、当該四本のアンテナに囲まれた領域内にカプセル型内視鏡１００が位置すると推定する。そしてさらに、アンテナ１５０Ｄ２の受信強度が最も高く且つアンテナ１４０Ｕ２の受信強度が二番目に高いことから、カプセル型内視鏡１００の位置を領域Ｒ内に特定する。
【００５２】
本実施例１では、より高い精度で位置特定を実行する為にアンテナを四本用いている。しかしながら制御部２２１はカプセル型内視鏡１００の位置を二次元で特定する為、配列されているアンテナのピッチ及び要求されている位置特定の精度にもよるが、位置特定に用いられるアンテナの本数は最低二本あれば良い（この場合、四本のアンテナを用いて位置特定を行うときよりも精度が低下する）。位置特定の精度は、主に、位置特定に用いられるアンテナの数や配置間隔に依存して決まる。
【００５３】
また、Ｓ９の処理において、上記強度情報が四つに満たないと判定した場合（Ｓ９：ＮＯ）、制御部２２１は、メモリ２２４に格納されている各「受信データ」に含まれる受信時刻の情報に基づいて少なくとも一つの「受信データ」を選択し、選択された「受信データ」に含まれる「信号捕捉チップ」の位置情報及び受信時刻情報を参照して（Ｓ１０）カプセル型内視鏡１００の移動速度及び方向を推定する。そしてこれにより推定されるカプセル型内視鏡１００が位置し得る範囲と、例えば三つの強度情報（すなわち四つに満たない一以上の強度情報）で推定される範囲とを掛け合わせて更に範囲を絞り込み、カプセル型内視鏡１００の位置を特定する（Ｓ１１）。なお、ここでの「受信データ」の選択条件には様々なものがあり、例えばメモリ２２４に格納されている最新の「受信データ」のみ、又は、最新の「受信データ」を含む（又は含まない）複数の「受信データ」、或いは、全ての「受信データ」を選択するものが想定される。
【００５４】
カプセル型内視鏡１００が例えば図５の位置Ｐ１にあるとき、当該位置Ｐ１の最も近くに位置するアンテナ１４０Ｕ４の受信強度が最も高く、アンテナ１５０Ｄ５の受信強度が二番目に高く、アンテナ１５０Ｄ４の受信強度が三番目に高く、アンテナ１４０Ｕ５の受信強度が四番目に高くなる。ここで、例えばアンテナ１４０Ｕ５とカプセル型内視鏡１００との間にシールドとして作用するような部品や異物等が介在し、当該アンテナ１４０Ｕ５の受信強度が微弱となる場合、制御部２２１は、三本のアンテナだけで位置特定を実行することになる。この為、カプセル型内視鏡１００の位置を領域Ｒ１とＲ２とを含む領域までにしか絞れない。
【００５５】
ここで、制御部２２１は、より精度の高い位置特定を実現する為に、直前までに記録された「受信データ」に含まれる位置情報を参照する（例えば前回特定されたカプセル型内視鏡１００の位置を参照する）。前回のカプセル型内視鏡１００の位置がＰ２であり、制御部２２１によって特定された位置が領域Ｒ３である場合、領域Ｒ１の方が領域Ｒ２よりも領域Ｒ３に近い。制御部２２１は、カプセル型内視鏡１００が突然大きく移動しないことを前提に、領域Ｒ３により近い領域Ｒ１内にカプセル型内視鏡１００が移動したと推定し、その位置を領域Ｒ１内に特定する。
【００５６】
また、カプセル型内視鏡１００が、例えばいずれかのアンテナの真下に位置する場合、或いは、複数（少なくとも二本）のアンテナとの距離が同一となるように位置する場合、受信強度が同一となる二本のアンテナが存在することになる。この為、先に説明された強度情報不足の例と同様に位置特定の範囲が広くなってしまう。ただしこのような場合にも、計時された時刻の情報に基づいて前回までに格納された「受信データ」を参照することにより、例えばカプセル型内視鏡１００の移動速度及び方向を推定し、それにより、その範囲をより狭いものに限定することができる。また、過去の「受信データ」を複数読み出し、それらに含まれる上記位置情報及び受信時刻情報に基づいてカプセル型内視鏡１００の移動速度及び方向を推定して位置を特定することもできる。
【００５７】
Ｓ１１の処理で位置特定が実行されると、制御部２２１は、現在「信号捕捉チップ」に設定しているＤＳＴチップ２３０の強度情報が、少なくとも残り三つの「チップデータ出力チップ」に比べても最も高いか否かを判定する（Ｓ１２）。前記の強度情報が最も高いと判定した場合（Ｓ１２：ＹＥＳ）、制御部２２１は、「信号捕捉チップ」及び各「チップデータ出力チップ」の設定を更新するタイミングであるか否かを判定する（Ｓ１３）。例えば強度情報がある設定値（最低受信強度）よりも低いとき、制御部２２１は、前記のタイミングでないと判定して（Ｓ１３：ＮＯ）Ｓ７の処理に戻り、上述したＳ７〜Ｓ１３までの一連の処理を再び実行する。
【００５８】
現在「信号捕捉チップ」に設定しているＤＳＴチップ２３０の強度情報よりも高い強度情報を有したものが残り３つの「チップデータ出力チップ」の中にあると判定した場合（Ｓ１２：ＮＯ）、或いは、「信号捕捉チップ」及び各「チップデータ出力チップ」の強度情報がある設定値（最低受信強度）より低いと判断される、または上記のチップから来る強度情報が異常で、強度情報のリセットが必要と判断された等で、設定を更新するタイミングであると判定した場合（Ｓ１３：ＹＥＳ）、制御部２２１は、全てのＤＳＴチップ２３０に対し、「チップデータ」を送信させる送信命令を出力する（Ｓ１４）。
【００５９】
各ＤＳＴチップ２３０は、Ｓ１４の処理で出力された送信命令に応答し、「チップデータ」を制御ユニット２２０に向けて出力する。各ＤＳＴチップ２３０からの「チップデータ」を受信すると、制御部２２１は、Ｓ３の処理と同様に、それらの「チップデータ」をメモリ２２４に格納する（Ｓ１５）。そして今回格納された全ての「チップデータ」に含まれる強度情報の各々を比較し、最も高い、二番目に高い、三番目に高い、及び、四番目に高い強度情報を出力したＤＳＴチップ２３０を判定する。ここで、最も高い強度情報を出力したＤＳＴチップ２３０と現在の「信号捕捉チップ」とが異なる場合、或いは、二から四番目に高い強度情報を出力したＤＳＴチップ２３０と現在の三つの「チップデータ出力チップ」との中で一つでも異なるものがある場合（Ｓ１６：ＹＥＳ）、制御部２２１は、各チップを再設定する為にＳ５の処理に戻り、チップ再設定後、上述したＳ６〜Ｓ１６までの一連の処理を再び実行する。なお、最も高い強度情報を出力したＤＳＴチップ２３０と現在の「信号捕捉チップ」、及び、二から四番目に高い強度情報を出力したＤＳＴチップ２３０と現在の三つの「チップデータ出力チップ」が全て同一の場合に限り（Ｓ１６：ＮＯ）、制御部２２１は、Ｓ７の処理に戻り、上述したＳ７〜Ｓ１６までの一連の処理を再び実行する。
【００６０】
本実施例１の如く複数のアンテナ１４０又は１５０からなる二つのアンテナ群を互いに交差するように配列すると、二次元平面上においてそれらのアンテナが二方向に延在する。これら二方向に延在する複数のアンテナの受信強度を参照することにより、カプセル型内視鏡１００の位置を二次元で囲まれた領域内に特定することができる為、カプセル型内視鏡１００が位置し得る領域を狭い範囲に特定することが可能となる。
【００６１】
なお、本実施例１では２Ｄ−ＤＳＴによって各ＤＳＴチップを経由させて信号を伝送しているが、別の実施例では各アンテナと制御ユニットとをそれぞれ独立して接続させたケーブルやパターン等によって当該信号を伝送させることもできる。
【００６２】
次に、図面を参照して、様々な変形例の一部（実施例２〜６）を示す。なお、以下の図面において、図１〜７に示された本実施例１の内視鏡システム１０と同一の構成には、同一の符号を付してここでの詳細な説明は省略する。
【実施例２】
【００６３】
図９は、本発明の実施例２のアンテナ付きジャケットの断面図であって、図４（ａ）に対応した断面図である。本実施例２のアンテナ付きジャケットは、計八枚の絶縁シート１１１１〜１１１８を積層させたものである。絶縁シート１１１１はアンテナ付きジャケットの裏側に位置し、各絶縁シートは、絶縁シート１１１１、１１１２、１１１３、１１１４、１１１５、１１１６、１１１７、１１１８の順に積層されている。なお、絶縁シート１１１１及び１１１８は、アンテナ付きジャケットの内部と外部とを絶縁している。絶縁シート１１１２〜１１１７は、信号伝送基板を構成するグランド層１２２、信号層１２４、ＤＳＴチップ２３０ａ及び２３０ｂ、及び、複数のアンテナ１４０及び１５０を埋設している。
【００６４】
本実施例２のアンテナ付きジャケットでは、その上側に配列されたＤＳＴチップ２３０ｂと、下側に配列されたＤＳＴチップ２３０ａとが共通のグランド層１２２及び信号層１２４に接続されている。上側のＤＳＴチップ２３０ｂと下側のＤＳＴチップ２３０ａとが相互通信可能である為、本実施例２のアンテナ付きジャケットは、実施例１のアンテナ付きジャケット２００と比較すると、信号伝送経路の自由度が向上する。従って、設定された経路中のチップに不具合が生じた場合であっても、代替的な様々な経路を設定することができる。
【実施例３】
【００６５】
図１０は、本発明の実施例３のアンテナ付きジャケットの構成を示した図である。図１０（ａ）は、図５と同様の図であって、本発明の実施例３のアンテナ付きジャケットにおけるアンテナ部分とチップ部分の配置を二次元に展開して示した図である。また、図１０（ｂ）は、本発明の実施例３のアンテナ付きジャケットの断面図であって、図１０（ａ）のＣ−Ｃ断面を示した図である。
【００６６】
本実施例３のアンテナ付きジャケットは、計九枚の絶縁シート２１１１〜２１１９を積層させたものである。絶縁シート２１１１はアンテナ付きジャケットの裏側に位置し、各絶縁シートは、絶縁シート２１１１、２１１２、２１１３、２１１４、２１１５、２１１６、２１１７、２１１８、２１１９の順に積層されている。なお、絶縁シート２１１１及び２１１９は、アンテナ付きジャケットの内部と外部とを絶縁している。絶縁シート２１１２〜２１１８は、信号伝送基板を構成するグランド層１２２、信号層１２４、ＤＳＴチップ２３０ｃ及び２３０ｄ、及び、複数のアンテナ１４０及び１５０を埋設している。
【００６７】
本実施例３のアンテナ付きジャケットでは、その上側に配列されたＤＳＴチップ２３０ｄと、下側に配列されたＤＳＴチップ２３０ｃとが、近接して配置され、共通のグランド層１２２及び信号層１２４に接続されている。他の実施例と比較すると各チップ間の距離が短い為、信号伝送の速度が向上する。
【実施例４】
【００６８】
図１１は、図５と同様の図であって、本発明の実施例４のアンテナ付きジャケットにおけるアンテナ部分及びチップ部分の配置を二次元に展開して示した図である。本実施例４のアンテナ付きジャケットは、その上側に、ＤＳＴチップ２３０Ａ１、２３０Ａ２、２３０Ａ３を含む複数のＤＳＴチップを有した信号伝送基板１２０Ｕ、その下側に、ＤＳＴチップ２３０Ｂ１、２３０Ｂ２、２３０Ｂ３、２３０Ｂ４を含む複数のＤＳＴチップを有した信号伝送基板１２０Ｄを備えている。なお、各信号伝送基板１２０は、本実施例１と同様に、制御ユニット２２０にそれぞれ独立して接続されている。
【００６９】
各ＤＳＴチップは、自身を中心として二方向に延在するＶ字型のアンテナに接続されている。例えばＤＳＴチップ２３０Ａ１は、幾つかのＶ字型アンテナ１４０及びＶ字型アンテナ１５０と交差するように配置されたＶ字型アンテナ１４０Ａ１に接続されている。また、ＤＳＴチップ２３０Ａ２、２３０Ａ３は、Ｖ字型アンテナ１４０Ａ２、Ｖ字型アンテナ１４０Ａ３にそれぞれ接続されている。また、ＤＳＴチップ２３０Ｂ１も、幾つかのＶ字型アンテナ１４０及びＶ字型アンテナ１５０と交差するように配置されたＶ字型アンテナ１５０Ｂ１に接続されている。また、ＤＳＴチップ２３０Ｂ２、２３０Ｂ３、２３０Ｂ４も、Ｖ字型アンテナ１５０Ｂ２、Ｖ字型アンテナ１５０Ｂ３、Ｖ字型アンテナ１５０Ｂ４にそれぞれ接続されている。
【００７０】
図１２は、本実施例４の制御ユニット２２０の制御部２２１が実行する処理であって、体腔内に投入されたカプセル型内視鏡１００の位置を特定する位置特定処理を示したフローチャートである。なお、本実施例４の位置特定処理は、本実施例１と同様に、電源２２２がオンされると開始され、電源２２２がオフされると終了する。
【００７１】
制御ユニット２２０の電源スイッチがオンされると、制御部２２１は、自身を初期化し（Ｓ５１）、全てのＤＳＴチップに、電源２２２によって電力を供給すると共に信号伝送経路を確立させる為の経路確立命令を出力する（Ｓ５２）。
【００７２】
各ＤＳＴチップは、電力が供給されて経路確立命令を受信すると、所定のアルゴリズムで信号伝送経路を決定し、決定された経路の情報と自身のＩＤ情報とを関連付けて制御ユニット２２０に向けて出力する。制御部２２１は、各ＤＳＴチップからの上記情報をメモリ２２４に格納すると共に、全てのＤＳＴチップから上記情報を受け取ったか否かを監視する（Ｓ５３）。そして全てのＤＳＴチップから経路情報を受け取ったと判定すると（Ｓ５３：ＹＥＳ）、制御部２２１は、各ＤＳＴチップに対して初期化命令を出力する（Ｓ５４）。
【００７３】
次に、図１３を用い、上記初期化命令を受信した後の各ＤＳＴチップの制御部２３２が実行する初期動作処理について説明する。なお、以下に説明される本実施例４の各ＤＳＴチップで実行される処理は、制御ユニット２２０からの電力供給が途絶えると終了する。また、信号伝送基板１２０Ｕと１２０Ｄで実行される処理は同様のものである為、以下においては、信号伝送基板１２０Ｕで実行される処理のみを説明し、信号伝送基板１２０Ｄで実行される処理は省略する。
【００７４】
制御部２３２は、上記初期化命令を受信すると初期化（例えば後述の特定フラグ＝０にする等）を行い（Ｓ１０１）、自身に接続されたＶ字型アンテナ１４０の受信強度を検出し、その強度情報ＭＭＹをメモリ２３４に一時的に格納する（Ｓ１０２）。そして当該メモリ２３４を読み込み、格納された強度情報ＭＭＹと自身のＩＤ情報とを関連付けた「チップデータ」を作成する。
【００７５】
ここで、ある一つのＤＳＴチップ（例えば制御ユニット２２０から最も遠くに位置したＤＳＴチップ）は、他のＤＳＴチップと異なる動作をする。具体的には、「チップデータ」を作成後、最も高い受信強度の強度情報ＭＭＡＸを得たＤＳＴチップに関する情報ＭＡＸ、及び、二番目に高い受信強度の強度情報Ｍ２ｎｄを得たＤＳＴチップに関する情報２ｎｄを有した「チップ特定信号」を、更に作成し、隣接チップに送信する。なお、このＤＳＴチップは、「チップ特定信号」に、情報ＭＡＸ及び情報２ｎｄとして自身の「チップデータ」を入れる。
【００７６】
「チップデータ」のみを作成した各ＤＳＴチップ（すなわち上記「チップ特定信号」を作成したもの以外のＤＳＴチップ）の制御部２３２は、「チップ特定信号」を受信したか否かを判定する（Ｓ１０３）。「チップ特定信号」を受信したと判定した場合（Ｓ１０３：ＹＥＳ）、制御部２３２は、過去に「チップ特定信号」を受信したか否かを判定する為の特定フラグが１であるか否かを判定する（Ｓ１０４）。特定フラグが１でないと判定した場合（Ｓ１０４：ＮＯ）、制御部２３２は、「チップ特定信号」を受信したため当該特定フラグを１にする（Ｓ１０５）。
【００７７】
制御部２３２は、次に、自身の強度情報ＭＭＹが「チップ特定信号」に含まれる強度情報ＭＭＡＸよりも高いものであるか否かを判定する（Ｓ１０６）。強度情報ＭＭＹが強度情報ＭＭＡＸよりも高いと判定した場合（Ｓ１０６：ＹＥＳ）、制御部２３２は、「チップ特定信号」の書き換えを行う（Ｓ１０７）。具体的には、制御部２３２は、「チップ特定信号」の情報ＭＡＸが自身の「チップデータ」、情報２ｎｄが先程までの情報ＭＡＸとなるように書き換える。
【００７８】
また、強度情報ＭＭＹが強度情報ＭＭＡＸよりも低いと判定した場合（Ｓ１０６：ＮＯ）、制御部２３２は、自身の強度情報ＭＭＹが「チップ特定信号」に含まれる強度情報Ｍ２ｎｄよりも高いものであるか否かを判定する（Ｓ１０８）。強度情報ＭＭＹが強度情報Ｍ２ｎｄよりも高いと判定した場合（Ｓ１０８：ＹＥＳ）、制御部２３２は、「チップ特定信号」の書き換えを行う（Ｓ１０９）。具体的には、制御部２３２は、「チップ特定信号」の情報２ｎｄが自身の「チップデータ」となるように書き換える。
【００７９】
強度情報ＭＭＹが強度情報Ｍ２ｎｄよりも低いと判定した場合（Ｓ１０６：ＮＯ）、又はＳ１０７或いはＳ１０９の書き換え処理後、制御部２３２は、「チップ特定信号」を隣接チップに送信し（Ｓ１１０）、Ｓ１０３の処理に戻る。なお、Ｓ１０１からＳ１１０までの上述した一連の処理は、全てのＤＳＴチップにおいて実行される。従って、信号伝送基板１２０Ｕ中の全てのＤＳＴチップを経由した「チップ特定信号」には、信号伝送基板１２０Ｕの中の全ＤＳＴチップを比較した結果得られた情報ＭＡＸ及び情報２ｎｄが含まれる。
【００８０】
ここで、Ｓ１０４の処理において、特定フラグが１であると判定した場合（Ｓ１０４：ＹＥＳ）、制御部２３２は、Ｓ１０５からＳ１１０までの上述した一連の処理を実行しており、次の段階として「チップ特定信号」に含まれる情報ＭＡＸが自身の「チップデータ」であるか否かを判定する（Ｓ１１１）。
【００８１】
情報ＭＡＸが自身の「チップデータ」であると判定した場合（Ｓ１１１：ＹＥＳ）、制御部２３２は、自身のＩＤを「ＡＭＡＸ」とし、情報２ｎｄに該当するチップのＩＤを「Ａ２ｎｄ」とした「チップ決定信号」を作成する（Ｓ１１２）。「チップ決定信号」作成後、又は、情報ＭＡＸが自身の「チップデータ」でないと判定した場合（Ｓ１１１：ＮＯ）、制御部２３２は、「チップ決定信号」又は「チップ特定信号」を隣接チップに送信し（Ｓ１１３）、Ｓ１０３の処理に戻る。なお、Ｓ１０４からＳ１１３までの上述した一連の処理は、「チップ特定信号」の伝送順序と逆の順序（すなわち「チップ特定信号」を最後に受信したＤＳＴチップから「チップ特定信号」を作成したＤＳＴチップに至る順序）で実行される。
【００８２】
全てのＤＳＴチップでＳ１１３の処理が成されると、「チップ決定信号」は、上述した「チップ特定信号」の伝送順序で各ＤＳＴチップに送信され、最後に制御ユニット２２０に送信される。ここで、受信した信号が「チップ特定信号」でなく（Ｓ１０３：ＮＯ）「チップ決定信号」である場合（Ｓ１１４：ＹＥＳ）、制御部２３２は、当該「チップ決定信号」を参照し、自身がどのチップとして機能するかを判定する（Ｓ１１５）。「チップ決定信号」を参照した結果、自身が「ＡＭＡＸ」チップであると判定した場合（Ｓ１１５：ＡＭＡＸ）、制御部２３２は、「ＡＭＡＸ」チップとして振る舞うべく、図１４のフローチャートに示す処理を実行する。また、自身が「Ａ２ｎｄ」チップであると判定した場合（Ｓ１１５：Ａ２ｎｄ）、制御部２３２は、「Ａ２ｎｄ」チップとして振る舞うべく、図１５のフローチャートに示す処理を実行する。また、自身が「ＡＭＡＸ」チップでも「Ａ２ｎｄ」チップでもないと判定した場合（Ｓ１１５：他チップ）、制御部２３２は、「他」チップとして振る舞うべく、図１６のフローチャートに示す処理を実行する。
【００８３】
なお、制御ユニット２２０の制御部２２１は、図１２のＳ５４の初期化命令発行後、「チップ決定信号」の受信を監視している（Ｓ５５）。そして「チップ決定信号」を受信すると、制御部２２１は、各チップに対し、「ＡＭＡＸ」チップ、又は「Ａ２ｎｄ」チップ、或いは「他」チップとして動作する為の通常受信命令を出力する（Ｓ５６）。
【００８４】
先ず、図１４のフローチャートを参照し、「ＡＭＡＸ」チップの動作について説明する。制御部２２１からの上記通常受信命令を受信すると（Ｓ１２１）、「ＡＭＡＸ」チップは、自身に接続されたＶ字型アンテナ１４０の受信強度の情報と「受信ビデオ信号」とを取得する（Ｓ１２２）。そして「チップデータ」を作成すると共に、作成した「チップデータ」と「受信ビデオ信号」とを含んだ「前受信信号」を作成して（Ｓ１２３）「Ａ２ｎｄ」チップに送信する（Ｓ１２４）。なお、「ＡＭＡＸ」チップは、「チップ決定信号」の内容を参照することにより、「Ａ２ｎｄ」チップがいずれのチップであるかを把握している。「ＡＭＡＸ」チップから出力された「前受信信号」は、２Ｄ−ＤＳＴによって「他」チップを中継するなどして、「Ａ２ｎｄ」チップに伝送される。
【００８５】
図１５のフローチャートを参照し、「Ａ２ｎｄ」チップの動作についても説明する。制御部２２１からの上記通常受信命令を受信すると（Ｓ１４１）、「Ａ２ｎｄ」チップは、自身に接続されたＶ字型アンテナ１４０の受信強度の情報を取得し（Ｓ１４２）、「チップデータ」を作成する。そして「ＡＭＡＸ」チップによって作成される「前受信信号」を受信したか否かを監視する（Ｓ１４３）。「前受信信号」を受信したと判定した場合（Ｓ１４３：ＹＥＳ）、「Ａ２ｎｄ」チップは、当該「前受信信号」のタイプに応じた処理を実行する（Ｓ１４４）。また、所定時間待機しても「前受信信号」を受信しなかった場合（Ｓ１４３：ＮＯ）、「Ａ２ｎｄ」チップは、受信強度の情報を再取得して新しい「チップデータ」を作成し、Ｓ１４３の受信監視処理を再実行する。
【００８６】
「前受信信号」のタイプが後述する付加信号を持たないものである場合（Ｓ１４４：付加信号なし）、「Ａ２ｎｄ」チップは、当該「前受信信号」に自身の「チップデータ」を加えた「受信信号」を作成して（Ｓ１４５）制御ユニット２２０に伝送する為に隣接チップに送信する（Ｓ１４６）。そして自身の強度情報ＭＭＹが「受信信号」に含まれる「ＡＭＡＸ」チップの強度情報ＭＭＡＸよりも高いか否かを判定する（Ｓ１４７）。強度情報ＭＭＹが強度情報ＭＭＡＸよりも高いと判定した場合（Ｓ１４７：ＹＥＳ）、「Ａ２ｎｄ」チップは、自身を「ＡＭＡＸ」チップに昇格させる為の「昇格信号」を作成して（Ｓ１４８）「ＡＭＡＸ」チップに送信し（Ｓ１４９）、Ｓ１４２の処理に戻る。また、強度情報ＭＭＹが強度情報ＭＭＡＸよりも低いと判定した場合（Ｓ１４７：ＮＯ）、いずれの信号も作成することなくＳ１４２の処理に戻る。
【００８７】
更に、図１６のフローチャートを参照し、「他」チップの動作についても説明する。制御部２２１からの上記通常受信命令を受信すると（Ｓ１６１）、「他」チップは、自身に接続されたＶ字型アンテナ１４０の受信強度の情報を取得し（Ｓ１６２）、「チップデータ」を作成する。そして「Ａ２ｎｄ」チップによって作成される「受信信号」を受信したか否かを監視する（Ｓ１６３）。
【００８８】
「受信信号」を受信したと判定した場合（Ｓ１６３：ＹＥＳ）、「他」チップは、当該「受信信号」を制御ユニット２２０に伝送する為に隣接チップに送信する（Ｓ１６４）。そして自身の強度情報ＭＭＹが「受信信号」に含まれる「ＡＭＡＸ」チップの強度情報ＭＭＡＸよりも高いか否かを判定する（Ｓ１６５）。強度情報ＭＭＹが強度情報ＭＭＡＸよりも高いと判定した場合（Ｓ１６５：ＹＥＳ）、自身を「ＡＭＡＸ」チップに昇格させる為の「昇格信号」を作成して（Ｓ１６７）「ＡＭＡＸ」チップに送信し（Ｓ１６８）、Ｓ１６２の処理に戻る。
【００８９】
また、強度情報ＭＭＹが強度情報ＭＭＡＸよりも低いと判定した場合（Ｓ１６５：ＮＯ）、「他」チップは、強度情報ＭＭＹが「受信信号」に含まれる「Ａ２ｎｄ」チップの強度情報Ｍ２ｎｄよりも高いか否かを判定する（Ｓ１６６）。強度情報ＭＭＹが強度情報Ｍ２ｎｄよりも高いと判定した場合（Ｓ１６６：ＹＥＳ）、自身を「Ａ２ｎｄ」チップに昇格させる為の「昇格信号」を作成して（Ｓ１６７）「ＡＭＡＸ」チップに送信し（Ｓ１６８）、Ｓ１６２の処理に戻る。また、強度情報ＭＭＹが強度情報Ｍ２ｎｄよりも低いと判定した場合（Ｓ１６６：ＮＯ）、いずれの信号も作成することなくＳ１６２の処理に戻る。
【００９０】
なお、制御ユニット２２０の制御部２２１は、図１２のＳ５６の通常受信命令発行後、「受信信号」の受信を監視している（Ｓ５７）。そして「受信信号」を受信すると、制御部２２１は、当該「受信信号」をメモリ２２４に格納する（Ｓ５８）。更に、格納された「受信信号」に含まれる各「チップデータ」を参照し、カプセル型内視鏡１００の位置を特定する（Ｓ５９）。位置特定後、Ｓ５７の処理に戻り、「受信信号」の受信を再度監視する。なお、信号伝送基板１２０Ｕ及び１２０Ｄの各々から送信される「受信信号」には二つの「チップデータ」が含まれている。この為、本実施例４の制御部２２１は、計四つの「チップデータ」によって位置特定を実行する。
【００９１】
ここで、カプセル型内視鏡１００が図１１の位置Ｐ４にあるとき、信号伝送基板１２０Ｕからの「受信信号」の「ＡＭＡＸ」チップがＤＳＴチップ２３０Ａ３、「Ａ２ｎｄ」チップがＤＳＴチップ２３０Ａ１となり、信号伝送基板１２０Ｄからの「受信信号」の「ＢＭＡＸ」チップ（「ＡＭＡＸ」チップに相当）がＤＳＴチップ２３０Ｂ４、「Ｂ２ｎｄ」（「Ａ２ｎｄ」チップに相当）チップがＤＳＴチップ２３０Ｂ１となる。また、ＤＳＴチップ２３０Ａ３の強度情報ＭＭＡＸがＤＳＴチップ２３０Ｂ４の強度情報ＭＭＡＸよりも高い。このような場合、制御部２２１は、本実施例１と同様のアルゴリズムにより、カプセル型内視鏡１００の位置を領域Ｒ４内に特定することができる。
【００９２】
なお、制御部２２１は、図１２のＳ５８の処理において「受信信号」を格納する際に、各信号伝送基板から得られる「受信信号」の強度情報ＭＭＡＸを比較し、その値が高い「受信信号」のみをメモリ２２４に格納する。そして格納された「受信信号」に含まれる「受信ビデオ信号」が１フレーム分の画像に達すると（一つの「受信信号」に含まれる「受信ビデオ信号」が１フレーム分の画像を含むときは直ちに）、１フレーム分の当該「受信ビデオ信号」に対し、信号処理部２２５によって所定の処理を施し、メモリ２２４に格納する。そして、メモリ２２４に格納された所定の処理を施された「受信ビデオ信号」は、さらに信号処理部２２５によって通信するのに最適な所定の処理が施された上で、インターフェース部２２６を介し、変換された画像信号を外部処理システム３００に出力される。これにより、外部処理システム３００において、体腔内の観察画像が表示され、これに基づいて患部の状態を解析することが出来る。
【００９３】
ここで図１４のフローチャートに戻り、「ＡＭＡＸ」チップの動作について再び説明する。「ＡＭＡＸ」チップは、Ｓ１２４の「前受信信号」送信処理後、「昇格信号」を受信したか否かを判定する（Ｓ１２５）。ここで、「昇格信号」を受信していないと判定した場合（Ｓ１２５：ＮＯ）、「前受信信号」を送信するタイミングであるか否かを判定する（Ｓ１２６）。「前受信信号」を送信するタイミングでないと判定した場合（Ｓ１２６：ＮＯ）、Ｓ１２５の処理を再び実行する。また、「前受信信号」を送信するタイミングであると判定した場合（Ｓ１２６：ＹＥＳ）、Ｓ１２２の処理に戻り、新しい「前受信信号」を作成して「Ａ２ｎｄ」チップに送信する。
【００９４】
Ｓ１２５の処理で「昇格信号」を受信したと判定した場合（Ｓ１２５：ＹＥＳ）、「ＡＭＡＸ」チップは、当該「昇格信号」を参照してその発信元を判定する（Ｓ１２７）。発信元が「Ａ２ｎｄ」チップであると判定した場合（Ｓ１２７：Ａ２ｎｄ）、新しい「前受信信号」を作成して（Ｓ１２８）「Ａ２ｎｄ」チップに送信する（Ｓ１２９）。そして自身は「Ａ２ｎｄ」チップに降格する為、「Ａ２ｎｄ」チップとして振る舞うべく、図１５のＳ１４２の処理に進む。なお、ここで作成される「前受信信号」は、「受信ビデオ信号」の区切りに「Ａ２ｎｄ」チップを「ＡＭＡＸ」チップに昇格させる為の「切替信号Ａ」を付加したもの（付加信号が付加されたもの）である。
【００９５】
また、発信元が「他」チップであると判定した場合（Ｓ１２７：他チップ）、「ＡＭＡＸ」チップは、新しい「前受信信号」を作成して（Ｓ１３０）「Ａ２ｎｄ」チップに送信する（Ｓ１３１）。なお、ここで作成される「前受信信号」は、「受信ビデオ信号」の区切りに、「他」チップを「ＡＭＡＸ」チップに昇格させる為の「切替信号Ｂ１」を付加したもの、又は、「他」チップを「Ａ２ｎｄ」チップに昇格させる為の「切替信号Ｂ２」を付加したものである。「昇格信号」が図１６のＳ１６５の処理において高いと判定されたときに作成されたものである場合、「切替信号Ｂ１」が付加される。また、「昇格信号」が図１６のＳ１６６の処理において高いと判定されたときに作成されたものである場合、「切替信号Ｂ２」が付加される。
【００９６】
新たな「前受信信号」送信後、「ＡＭＡＸ」チップは、当該「前受信信号」に付加された「切替信号Ｂ」のタイプに応じた処理を実行する（Ｓ１３２）。「切替信号Ｂ１」である場合（Ｓ１３２：切替信号Ｂ１）、自身は「Ａ２ｎｄ」チップに降格する為、「Ａ２ｎｄ」チップとして振る舞うべく、図１５のＳ１４２の処理に進む。また、「切替信号Ｂ２」である場合（Ｓ１３２：切替信号Ｂ２）、自身は「ＡＭＡＸ」チップのままで且つ「Ａ２ｎｄ」チップと「他」チップとが入れ替わる為、「昇格信号」の発信元の「他」チップが「Ａ２ｎｄ」チップとなるようにそのＩＤをセットアップし（Ｓ１３３）、Ｓ１２２の処理に戻って「ＡＭＡＸ」チップとしての処理を続行する。
【００９７】
ここで図１５のフローチャートに戻り、「Ａ２ｎｄ」チップの動作についても再び説明する。Ｓ１４４の処理において、「前受信信号」のタイプが「切替信号Ａ」を付加したもの（付加信号ありのもの）である場合（Ｓ１４４：切替信号Ａ付）、「Ａ２ｎｄ」チップは、当該「前受信信号」に自身の「チップデータ」を加えた「受信信号」を作成して（Ｓ１５０）制御ユニット２２０に伝送する為に隣接チップに送信する（Ｓ１５１）。「切替信号Ａ」は「ＡＭＡＸ」チップへの昇格を示す信号である為、「Ａ２ｎｄ」チップは、「ＡＭＡＸ」チップとして振る舞うべく、図１４のＳ１３３の処理に進む。
【００９８】
また、Ｓ１４４の処理において、「前受信信号」のタイプが「切替信号Ｂ１」又は「切替信号Ｂ２」を付加したものである場合（Ｓ１４４：切替信号Ｂ付）、「Ａ２ｎｄ」チップは、当該「前受信信号」に自身の「チップデータ」を加えた「受信信号Ｘ」を作成する（Ｓ１５２）。そして作成した「受信信号Ｘ」を、「切替信号Ｂ１」又は「切替信号Ｂ２」を付加する元になった「他」チップを経由して制御ユニット２２０に伝送されるよう、隣接チップに送信する（Ｓ１５３）。「Ａ２ｎｄ」チップにとって「切替信号Ｂ１」又は「切替信号Ｂ２」は「他」チップへの降格を示す信号である為、「Ａ２ｎｄ」チップは、「他」チップとして振る舞うべく、図１６のＳ１６２の処理に進む。
【００９９】
また、図１６のフローチャートに戻り、「他」チップの動作についても再び説明する。Ｓ１６３の処理において、「受信信号」を受信していないと判定した場合（Ｓ１６３：ＮＯ）、「他」チップは、「Ａ２ｎｄ」チップによって作成され得る「受信信号Ｘ」を受信したか否かを判定する（Ｓ１６９）。ここで、「受信信号Ｘ」を受信したと判定した場合（Ｓ１６９：ＹＥＳ）、当該「受信信号Ｘ」が自身の作成した「昇格信号」に基づいたものであるか否かを判定する（Ｓ１７０）。自身の作成した「昇格信号」に基づいたものであると判定した場合（Ｓ１７０：ＹＥＳ）、「他」チップは、Ｓ１６７の「昇格信号」作成処理の履歴に基づき、「ＡＭＡＸ」チップ又は「Ａ２ｎｄ」チップに変更する（Ｓ１７１）。「ＡＭＡＸ」チップに変更する場合（Ｓ１７１：ＡＭＡＸ）、「ＡＭＡＸ」チップとして振る舞うべく、図１４のＳ１３３の処理に進む。また、「Ａ２ｎｄ」チップに変更する場合（Ｓ１７１：Ａ２ｎｄ）、「Ａ２ｎｄ」チップとして振る舞うべく、図１５のＳ１４２の処理に進む。なお、「受信信号Ｘ」を受信していない（Ｓ１６９：ＮＯ）、又は、「受信信号Ｘ」が自身の作成した「昇格信号」に基づいたものでないと判定した場合（Ｓ１７０：ＮＯ）、「他」チップは、Ｓ１６２の処理に戻る。
【０１００】
本実施例４では、一つのＤＳＴチップに搭載された一つのアンテナが二方向に延在している為、本実施例１と比べて遜色のない位置特定精度を実現すると共にＤＳＴチップ２３０の数を削減することができる。
【実施例５】
【０１０１】
図１７は、図５と同様の図であって、本発明の実施例５のアンテナ付きジャケットにおけるアンテナ部分及びチップ部分の配置を二次元に展開して示した図である。本実施例５のアンテナ付きジャケットは、その下側にのみ、ＤＳＴチップ２３０Ｃ１、２３０Ｃ２、２３０Ｃ３、２３０Ｃ４、２３０Ｃ５、２３０Ｃ６、２３０Ｃ７を含む複数のＤＳＴチップを有した信号伝送基板１２０を備えている。
【０１０２】
各ＤＳＴチップは、本実施例４のＶ字型アンテナ１５０と同様のアンテナに接続されている。ＤＳＴチップ２３０Ｃ１、２３０Ｃ２、２３０Ｃ３、２３０Ｃ４、２３０Ｃ５、２３０Ｃ６、２３０Ｃ７は、Ｖ字型アンテナ１５０Ｃ１、１５０Ｃ２、１５０Ｃ３、１５０Ｃ４、１５０Ｃ５、１５０Ｃ６、１５０Ｃ７にそれぞれ接続されている。
【０１０３】
次に、図１８〜図２２を参照し、本実施例５の各ＤＳＴチップが実行する処理について説明する。なお、本実施例５の制御ユニット２２０の制御部２２１は、本実施例４のものと同様の動作をする為、ここでの詳細な説明は省略する。
【０１０４】
先ず、図１８を用い、上記初期化命令（図１２のＳ５４の処理参照）を受信した後の各ＤＳＴチップの制御部２３２が実行する初期動作処理について説明する。
【０１０５】
制御部２３２は、上記初期化命令を受信すると初期化（例えば後述の特定フラグ＝０にする等）を行い（Ｓ２０１）、自身に接続されたＶ字型アンテナ１５０の受信強度を検出し、その強度情報ＭＭＹをメモリ２３４に一時的に格納する（Ｓ２０２）。そして当該メモリ２３４を読み込み、格納された強度情報ＭＭＹと自身のＩＤ情報とを関連付けた「チップデータ」を作成する。
【０１０６】
ここで、ある一つのＤＳＴチップ（例えば制御ユニット２２０から最も遠くに位置したＤＳＴチップ）は、他のＤＳＴチップと異なる動作をする。具体的には、「チップデータ」を作成後、最も高い受信強度の強度情報ＭＭＡＸを得たＤＳＴチップに関する情報ＭＡＸ、二番目に高い受信強度の強度情報Ｍ２ｎｄを得たＤＳＴチップに関する情報２ｎｄ、及び、三番目に高い受信強度の強度情報Ｍ３ｒｄを得たＤＳＴチップに関する情報３ｒｄを有した「チップ特定信号」を、更に作成し、隣接チップに送信する。なお、このＤＳＴチップは、「チップ特定信号」に、情報ＭＡＸ及び情報２ｎｄ並びに情報３ｒｄとして自身の「チップデータ」を入れる。
【０１０７】
「チップデータ」のみを作成した各ＤＳＴチップの制御部２３２は、「チップ特定信号」を受信したか否かを判定する（Ｓ２０３）。「チップ特定信号」を受信したと判定した場合（Ｓ２０３：ＹＥＳ）、制御部２３２は、本実施例４と同様の特定フラグが１であるか否かを判定する（Ｓ２０４）。特定フラグが１でないと判定した場合（Ｓ２０４：ＮＯ）、制御部２３２は、「チップ特定信号」を受信したため当該特定フラグを１にする（Ｓ２０５）。
【０１０８】
制御部２３２は、次に、自身の強度情報ＭＭＹが「チップ特定信号」に含まれる強度情報ＭＭＡＸよりも高いものであるか否かを判定する（Ｓ２０６）。強度情報ＭＭＹが強度情報ＭＭＡＸよりも高いと判定した場合（Ｓ２０６：ＹＥＳ）、制御部２３２は、「チップ特定信号」の書き換えを行う（Ｓ２０７）。具体的には、制御部２３２は、「チップ特定信号」の情報ＭＡＸが自身の「チップデータ」、情報２ｎｄが先程までの情報ＭＡＸ、情報３ｒｄが先程までの情報２ｎｄとなるように書き換える。
【０１０９】
また、強度情報ＭＭＹが強度情報ＭＭＡＸよりも低いと判定した場合（Ｓ２０６：ＮＯ）、制御部２３２は、自身の強度情報ＭＭＹが「チップ特定信号」に含まれる強度情報Ｍ２ｎｄよりも高いものであるか否かを判定する（Ｓ２０８）。強度情報ＭＭＹが強度情報Ｍ２ｎｄよりも高いと判定した場合（Ｓ２０８：ＹＥＳ）、制御部２３２は、「チップ特定信号」の書き換えを行う（Ｓ２０９）。具体的には、制御部２３２は、「チップ特定信号」の情報２ｎｄが自身の「チップデータ」、情報３ｒｄが先程までの情報２ｎｄとなるように書き換える。
【０１１０】
また、強度情報ＭＭＹが強度情報Ｍ２ｎｄよりも低いと判定した場合（Ｓ２０８：ＮＯ）、制御部２３２は、自身の強度情報ＭＭＹが「チップ特定信号」に含まれる強度情報Ｍ３ｒｄよりも高いものであるか否かを判定する（Ｓ２１０）。強度情報ＭＭＹが強度情報Ｍ３ｒｄよりも高いと判定した場合（Ｓ２１０：ＹＥＳ）、制御部２３２は、「チップ特定信号」の書き換えを行う（Ｓ２１１）。具体的には、制御部２３２は、「チップ特定信号」の情報３ｒｄが自身の「チップデータ」となるように書き換える。
【０１１１】
強度情報ＭＭＹが強度情報Ｍ３ｒｄよりも低いと判定した場合（Ｓ２１０：ＮＯ）、又はＳ２０７、Ｓ２０９、或いはＳ２１１の書き換え処理後、制御部２３２は、「チップ特定信号」を隣接チップに送信し（Ｓ２１２）、Ｓ２０３の処理に戻る。なお、Ｓ２０１からＳ２１２までの上述した一連の処理は、全てのＤＳＴチップにおいて実行される。従って、信号伝送基板１２０中の全てのＤＳＴチップを経由した「チップ特定信号」には、信号伝送基板１２０の中の全ＤＳＴチップを比較した結果得られた情報ＭＡＸ、情報２ｎｄ、及び、情報３ｒｄが含まれる。
【０１１２】
ここで、Ｓ２０４の処理において、特定フラグが１であると判定した場合（Ｓ２０４：ＹＥＳ）、制御部２３２は、Ｓ２０５からＳ２１２までの上述した一連の処理を実行しており、次の段階として「チップ特定信号」に含まれる情報ＭＡＸが自身の「チップデータ」であるか否かを判定する（Ｓ２１３）。
【０１１３】
情報ＭＡＸが自身の「チップデータ」であると判定した場合（Ｓ２１３：ＹＥＳ）、制御部２３２は、自身のＩＤを「ＣＭＡＸ」とし、情報２ｎｄに該当するチップのＩＤを「Ｃ２ｎｄ」とし、情報３ｒｄに該当するチップのＩＤを「Ｃ３ｒｄ」とした「チップ決定信号」を作成する（Ｓ２１４）。「チップ決定信号」作成後、又は、情報ＭＡＸが自身の「チップデータ」でないと判定した場合（Ｓ２１３：ＮＯ）、制御部２３２は、「チップ決定信号」又は「チップ特定信号」を隣接チップに送信し（Ｓ２１５）、Ｓ２０３の処理に戻る。なお、Ｓ２０４からＳ２１５までの上述した一連の処理は、「チップ特定信号」の伝送順序と逆の順序（すなわち「チップ特定信号」を最後に受信したＤＳＴチップから「チップ特定信号」を作成したＤＳＴチップに至る順序）で実行される。
【０１１４】
全てのＤＳＴチップでＳ２１５の処理が成されると、「チップ決定信号」は、上述した「チップ特定信号」の伝送順序で各ＤＳＴチップに送信され、最後に制御ユニット２２０に送信される。ここで、受信した信号が「チップ特定信号」でなく（Ｓ２０３：ＮＯ）「チップ決定信号」である場合（Ｓ２１６：ＹＥＳ）、制御部２３２は、当該「チップ決定信号」を参照し、自身がどのチップとして機能するかを判定する（Ｓ２１７）。「チップ決定信号」を参照した結果、自身が「ＣＭＡＸ」チップであると判定した場合（Ｓ２１７：ＣＭＡＸ）、制御部２３２は、「ＣＭＡＸ」チップとして振る舞うべく、図１９のフローチャートに示す処理を実行する。また、自身が「Ｃ２ｎｄ」チップであると判定した場合（Ｓ２１７：Ｃ２ｎｄ）、制御部２３２は、「Ｃ２ｎｄ」チップとして振る舞うべく、図２０のフローチャートに示す処理を実行する。また、自身が「Ｃ３ｒｄ」チップであると判定した場合（Ｓ２１７：Ｃ３ｒｄ）、制御部２３２は、「Ｃ３ｒｄ」チップとして振る舞うべく、図２１のフローチャートに示す処理を実行する。また、自身が「ＣＭＡＸ」チップ又は「Ｃ２ｎｄ」チップ或いは「Ｃ３ｒｄ」チップのいずれでもないと判定した場合（Ｓ２１７：他チップ）、制御部２３２は、「他」チップとして振る舞うべく、図２２のフローチャートに示す処理を実行する。
【０１１５】
先ず、図１９のフローチャートを参照し、「ＣＭＡＸ」チップの動作について説明する。制御部２２１からの上記通常受信命令を受信すると（Ｓ２２１）、「ＣＭＡＸ」チップは、自身に接続されたＶ字型アンテナ１５０の受信強度の情報と、「受信ビデオ信号」とを取得する（Ｓ２２２）。そして「チップデータ」を作成すると共に、作成した「チップデータ」と「受信ビデオ信号」とを含んだ「前受信信号１」を作成して（Ｓ２２３）、「Ｃ２ｎｄ」チップに送信する（Ｓ２２４）。
【０１１６】
図２０のフローチャートを参照し、「Ｃ２ｎｄ」チップの動作についても説明する。制御部２２１からの上記通常受信命令を受信すると（Ｓ２４１）、「Ｃ２ｎｄ」チップは、自身に接続されたＶ字型アンテナ１５０の受信強度の情報を取得し（Ｓ２４２）、「チップデータ」を作成する。そして「ＣＭＡＸ」チップによって作成される「前受信信号１」を受信したか否かを監視する（Ｓ２４３）。「前受信信号１」を受信したと判定した場合（Ｓ２４３：ＹＥＳ）、「Ｃ２ｎｄ」チップは、「前受信信号１」に自身の「チップデータ」を加えた「前受信信号２」を作成し（Ｓ２４４）、「Ｃ３ｒｄ」チップに送信する（Ｓ２４５）。そして受信した「前受信信号１」のタイプに応じた処理を実行する（Ｓ２４６）。なお、Ｓ２４３の処理において所定時間待機しても「前受信信号１」を受信しなかった場合（Ｓ２４３：ＮＯ）、「Ｃ２ｎｄ」チップは、受信強度の情報を再取得して新しい「チップデータ」を作成し、Ｓ２４３の受信監視処理を再実行する。また、受信した「前受信信号１」に後述の「切替信号４」が付加されていた場合、「Ｃ２ｎｄ」チップは、その旨を報知する信号を、Ｓ２４４の処理で作成する「前受信信号２」に付加しておく。
【０１１７】
「前受信信号１」のタイプが付加された信号を持たないものである場合（Ｓ２４６：付加信号なし）、「Ｃ２ｎｄ」チップは、自身の強度情報ＭＭＹが「受信信号１」に含まれる「ＣＭＡＸ」チップの強度情報ＭＭＡＸよりも高いか否かを判定する（Ｓ２４７）。強度情報ＭＭＹが強度情報ＭＭＡＸよりも高いと判定した場合（Ｓ２４７：ＹＥＳ）、「Ｃ２ｎｄ」チップは、自身を「ＣＭＡＸ」チップに昇格させる為の「昇格信号」を作成して（Ｓ２４８）「ＣＭＡＸ」チップに送信し（Ｓ２４９）、Ｓ２４２の処理に戻る。また、強度情報ＭＭＹが強度情報ＭＭＡＸよりも低いと判定した場合（Ｓ２４７：ＮＯ）、いずれの信号も作成することなくＳ２４２の処理に戻る。
【０１１８】
次に、図２１のフローチャートを参照し、「Ｃ３ｒｄ」チップの動作についても説明する。制御部２２１からの上記通常受信命令を受信すると（Ｓ２６１）、「Ｃ３ｒｄ」チップは、自身に接続されたＶ字型アンテナ１５０の受信強度の情報を取得し（Ｓ２６２）、「チップデータ」を作成する。そして「Ｃ２ｎｄ」チップによって作成される「前受信信号２」を受信したか否かを監視する（Ｓ２６３）。「前受信信号２」を受信したと判定した場合（Ｓ２６３：ＹＥＳ）、「Ｃ３ｒｄ」チップは、「前受信信号２」に自身の「チップデータ」を加えた「前受信信号」を作成して（Ｓ２６４）制御ユニット２２０に伝送する為に隣接チップに送信する（Ｓ２６５）。そして受信した「前受信信号２」のタイプに応じた処理を実行する（Ｓ２６６）。なお、Ｓ２６３の処理において所定時間待機しても「前受信信号２」を受信しなかった場合（Ｓ２６３：ＮＯ）、「Ｃ３ｒｄ」チップは、受信強度の情報を再取得して新しい「チップデータ」を作成し、Ｓ２６３の受信監視処理を再実行する。また、受信した「前受信信号２」にＳ２４４の処理で説明された「切替信号４」付加の報知信号が付加されている場合、「Ｃ３ｒｄ」チップは、Ｓ２６４の処理において、「受信信号」に上記報知信号を付加した「受信信号Ｙ」を作成する。
【０１１９】
なお、本実施例５では、上記に示されるように「受信信号」に三つの「チップデータ」が含まれている。この為、本実施例５の制御ユニット２２０の制御部２２１は、三つの「チップデータ」によって位置特定を実行する。
【０１２０】
「前受信信号２」のタイプが付加信号を持たないものである場合（Ｓ２６６：付加信号なし）、「Ｃ３ｒｄ」チップは、自身の強度情報ＭＭＹが、「受信信号２」に含まれる「ＣＭＡＸ」チップの強度情報ＭＭＡＸよりも高いか否かを判定する（Ｓ２６７）。強度情報ＭＭＹが強度情報ＭＭＡＸよりも高いと判定した場合（Ｓ２６７：ＹＥＳ）、「Ｃ３ｒｄ」チップは、自身を「ＣＭＡＸ」チップに昇格させる為の「昇格信号」を作成して（Ｓ２６９）「ＣＭＡＸ」チップに送信し（Ｓ２７０）、Ｓ２６２の処理に戻る。
【０１２１】
また、強度情報ＭＭＹが強度情報ＭＭＡＸよりも低いと判定した場合（Ｓ２６７：ＮＯ）、「Ｃ３ｒｄ」チップは、強度情報ＭＭＹが「受信信号２」に含まれる「Ｃ２ｎｄ」チップの強度情報Ｍ２ｎｄよりも高いか否かを判定する（Ｓ２６８）。強度情報ＭＭＹが強度情報Ｍ２ｎｄよりも高いと判定した場合（Ｓ２６８：ＹＥＳ）、「Ｃ３ｒｄ」チップは、自身を「Ｃ２ｎｄ」チップに昇格させる為の「昇格信号」を作成して（Ｓ２６９）「ＣＭＡＸ」チップに送信し（Ｓ２７０）、Ｓ２６２の処理に戻る。また、強度情報ＭＭＹが強度情報Ｍ２ｎｄよりも低いと判定した場合（Ｓ２６８：ＮＯ）、いずれの信号も作成することなくＳ２６２の処理に戻る。
【０１２２】
更に、図２２のフローチャートを参照し、「他」チップの動作についても説明する。制御部２２１からの上記通常受信命令を受信すると（Ｓ２８１）、「他」チップは、自身に接続されたＶ字型アンテナ１５０の受信強度の情報を取得し（Ｓ２８２）、「チップデータ」を作成する。そして「Ｃ３ｒｄ」チップによって作成される「受信信号」を受信したか否かを監視する（Ｓ２８３）。
【０１２３】
「受信信号」を受信したと判定した場合（Ｓ２８３：ＹＥＳ）、「他」チップは、当該「受信信号」を制御ユニット２２０に伝送する為に隣接チップに送信する（Ｓ２８４）。そして自身の強度情報ＭＭＹが「受信信号」に含まれる「ＣＭＡＸ」チップの強度情報ＭＭＡＸよりも高いか否かを判定する（Ｓ２８５）。強度情報ＭＭＹが強度情報ＭＭＡＸよりも高いと判定した場合（Ｓ２８５：ＹＥＳ）、自身を「ＣＭＡＸ」チップに昇格させる為の「昇格信号」を作成して（Ｓ２８８）「ＣＭＡＸ」チップに送信し（Ｓ２８９）、Ｓ２８２の処理に戻る。
【０１２４】
また、強度情報ＭＭＹが強度情報ＭＭＡＸよりも低いと判定した場合（Ｓ２８５：ＮＯ）、「他」チップは、強度情報ＭＭＹが「受信信号」に含まれる「Ｃ２ｎｄ」チップの強度情報Ｍ２ｎｄよりも高いか否かを判定する（Ｓ２８６）。強度情報ＭＭＹが強度情報Ｍ２ｎｄよりも高いと判定した場合（Ｓ２８６：ＹＥＳ）、自身を「Ｃ２ｎｄ」チップに昇格させる為の「昇格信号」を作成して（Ｓ２８８）「ＣＭＡＸ」チップに送信し（Ｓ２８９）、Ｓ２８２の処理に戻る。
【０１２５】
また、強度情報ＭＭＹが強度情報Ｍ２ｎｄよりも低いと判定した場合（Ｓ２８６：ＮＯ）、「他」チップは、強度情報ＭＭＹが「受信信号」に含まれる「Ｃ３ｒｄ」チップの強度情報Ｍ３ｒｄよりも高いか否かを判定する（Ｓ２８７）。強度情報ＭＭＹが強度情報Ｍ３ｒｄよりも高いと判定した場合（Ｓ２８７：ＹＥＳ）、自身を「Ｃ３ｒｄ」チップに昇格させる為の「昇格信号」を作成して（Ｓ２８８）「ＣＭＡＸ」チップに送信し（Ｓ２８９）、Ｓ２８２の処理に戻る。また、強度情報ＭＭＹが強度情報Ｍ３ｒｄよりも低いと判定した場合（Ｓ２８７：ＮＯ）、いずれの信号も作成することなくＳ２８２の処理に戻る。
【０１２６】
ここで図１９のフローチャートに戻り、「ＣＭＡＸ」チップの動作について再び説明する。「ＣＭＡＸ」チップは、Ｓ２２４の「前受信信号１」送信処理後、「昇格信号」を受信したか否かを判定する（Ｓ２２５）。ここで、「昇格信号」を受信していないと判定した場合（Ｓ２２５：ＮＯ）、「前受信信号１」を送信するタイミングであるか否かを判定する（Ｓ２２６）。「前受信信号１」を送信するタイミングでないと判定した場合（Ｓ２２６：ＮＯ）、Ｓ２２５の処理を再び実行する。また、「前受信信号１」を送信するタイミングであると判定した場合（Ｓ２２６：ＹＥＳ）、Ｓ２２２の処理に戻り、新しい「前受信信号１」を作成して「Ｃ２ｎｄ」チップに送信する。
【０１２７】
Ｓ２２５の処理で「昇格信号」を受信したと判定した場合（Ｓ２２５：ＹＥＳ）、「ＣＭＡＸ」チップは、当該「昇格信号」を参照してその発信元を判定する（Ｓ２２７）。発信元が「Ｃ２ｎｄ」チップであると判定した場合（Ｓ２２７：Ｃ２ｎｄ）、新しい「前受信信号１」を作成して（Ｓ２２８）「Ｃ２ｎｄ」チップに送信する（Ｓ２２９）。そして自身は「Ｃ２ｎｄ」チップに降格する為、「Ｃ２ｎｄ」チップとして振る舞うべく、図２０のＳ２４２の処理に進む。なお、ここで作成される「前受信信号１」は、「受信ビデオ信号」の区切りに「Ｃ２ｎｄ」チップを「ＣＭＡＸ」チップに昇格させる為の「切替信号１」を付加したものである。「Ｃ２ｎｄ」チップが「ＣＭＡＸ」チップに昇格する場合、「Ｃ３ｒｄ」チップ及び「他」チップは変更されない。
【０１２８】
また、発信元が「Ｃ３ｒｄ」チップであると判定した場合（Ｓ２２７：Ｃ３ｒｄ）、「ＣＭＡＸ」チップは、「昇格信号」のタイプに応じた処理を実行する（Ｓ２３０）。なお、ここでの「昇格信号」のタイプには、「Ｃ３ｒｄ」チップを「ＣＭＡＸ」チップに昇格させるタイプα、「Ｃ３ｒｄ」チップを「Ｃ２ｎｄ」チップに昇格させるタイプβがある。「Ｃ３ｒｄ」チップが「ＣＭＡＸ」チップに昇格する場合（すなわちタイプα）、「ＣＭＡＸ」チップが「Ｃ２ｎｄ」チップ、「Ｃ２ｎｄ」チップが「Ｃ３ｒｄ」チップに降格し、「他」チップは変更されない。また、「Ｃ３ｒｄ」チップが「Ｃ２ｎｄ」チップに昇格する場合（すなわちタイプβ）、「ＣＭＡＸ」チップ及び「他」チップは変更されない。
【０１２９】
「昇格信号」がタイプαである場合（Ｓ２３０：α）、「ＣＭＡＸ」チップは、新しい「前受信信号１」を作成して（Ｓ２３１）「Ｃ２ｎｄ」チップに送信する（Ｓ２３２）。そして自身は「Ｃ２ｎｄ」チップに降格する為、「Ｃ２ｎｄ」チップとして振る舞うべく、図２０のＳ２４２の処理に進む。なお、ここで作成される「前受信信号１」は、「受信ビデオ信号」の区切りに「Ｃ３ｒｄ」チップを「ＣＭＡＸ」チップに昇格させる為の「切替信号２」を付加したものである。
【０１３０】
また、「昇格信号」がタイプβである場合（Ｓ２３０：β）、「ＣＭＡＸ」チップは、新しい「前受信信号１」を作成して（Ｓ２３３）「Ｃ２ｎｄ」チップに送信し（Ｓ２３４）、Ｓ２２２の処理に戻る。なお、ここで作成される「前受信信号１」は、「受信ビデオ信号」の区切りに「Ｃ３ｒｄ」チップを「Ｃ２ｎｄ」チップに昇格させる為の「切替信号３」を付加したものである。
【０１３１】
また、発信元が「他」チップであると判定した場合（Ｓ２２７：他チップ）、「ＣＭＡＸ」チップは、新しい「前受信信号１」を作成して（Ｓ２３５）「Ｃ２ｎｄ」チップに送信する（Ｓ２３６）。なお、ここで作成される「前受信信号１」は、「受信ビデオ信号」の区切りに、「他」チップを「ＣＭＡＸ」チップ又は「Ｃ２ｎｄ」チップ或いは「Ｃ３ｒｄ」チップに昇格させる為の「切替信号４」を付加したものである。「切替信号４」の内容は、図２２のＳ２８５、Ｓ２８６、Ｓ２８７の処理に応じて決定される。
【０１３２】
「ＣＭＡＸ」チップは、「切替信号４」の内容が「他」チップを「ＣＭＡＸ」チップに昇格させるものである場合（Ｓ２３７：Ｃ２ｎｄ）、自身が「Ｃ２ｎｄ」チップに降格する為、「Ｃ２ｎｄ」チップとして振る舞うべく、図２０のＳ２４２の処理に進む。また、「切替信号４」の内容が「他」チップを「Ｃ２ｎｄ」チップ或いは「Ｃ３ｒｄ」チップに昇格させるものである場合（Ｓ２３７：変更なし）、自身は「ＣＭＡＸ」チップのままで且つ「Ｃ３ｒｄ」チップ、又は、「Ｃ２ｎｄ」チップ及び「Ｃ３ｒｄ」チップが変更する為、その変更に応じた新しい「Ｃ２ｎｄ」チップ及び「Ｃ３ｒｄ」チップのＩＤをセットアップし（Ｓ２３８）、Ｓ２２２の処理に戻って「ＣＭＡＸ」チップとしての処理を続行する。
【０１３３】
ここで図２０のフローチャートに戻り、「Ｃ２ｎｄ」チップの動作についても再び説明する。Ｓ２４６の処理において、「前受信信号１」のタイプが「切替信号」を付加したものである場合（Ｓ２４６：切替信号付）、「Ｃ２ｎｄ」チップは、当該「切替信号」のタイプに応じた処理を実行する（Ｓ２５０）。「ＣＭＡＸ」チップへの昇格を示す信号である「切替信号１」である場合（Ｓ２５０：切替信号１）、「ＣＭＡＸ」チップとして振る舞うべく、図１９のＳ２３８の処理に進む。
【０１３４】
また、「Ｃ３ｒｄ」チップが「ＣＭＡＸ」チップ又は「Ｃ２ｎｄ」チップに昇格する為の「切替信号２」又は「切替信号３」である場合（Ｓ２５０：切替信号２又は３）、「Ｃ２ｎｄ」チップは、「Ｃ３ｒｄ」チップに降格する為、「Ｃ３ｒｄ」チップとして振る舞うべく、図２１のＳ２６２の処理に進む。
【０１３５】
また、「他」チップがいずれかに昇格する為の「切替信号４」である場合（Ｓ２５０：切替信号４）、「Ｃ２ｎｄ」チップは、当該「切替信号４」の内容に応じた処理を実行する（Ｓ２５１）。「切替信号４」の内容が「他」チップを「ＣＭＡＸ」チップ又は「Ｃ２ｎｄ」チップに昇格させる内容である場合（Ｓ２５１：Ｃ３ｒｄ）、「Ｃ３ｒｄ」チップに降格する為、「Ｃ３ｒｄ」チップとして振る舞うべく、図２１のＳ２６２の処理に進む。また、「切替信号４」の内容が「他」チップを「Ｃ３ｒｄ」チップに昇格させる内容である場合（Ｓ２５１：変更なし）、自身は変わらず「Ｃ２ｎｄ」チップである為、Ｓ２４２の処理に戻って「Ｃ２ｎｄ」チップとしての処理を続行する。
【０１３６】
また、図２１のフローチャートに戻り、「Ｃ３ｒｄ」チップの動作についても再び説明する。Ｓ２６６の処理において、「前受信信号２」のタイプが「切替信号」を付加したものである場合（Ｓ２６６：切替信号付）、「Ｃ３ｒｄ」チップは、当該「切替信号」のタイプに応じた処理を実行する（Ｓ２７１）。「切替信号１」である場合（Ｓ２７１：切替信号１）、「ＣＭＡＸ」チップと「Ｃ２ｎｄ」チップとが入れ替わるだけであり、自身は変わらず「Ｃ３ｒｄ」チップである為、Ｓ２６２の処理に戻って「Ｃ３ｒｄ」チップとしての処理を続行する。
【０１３７】
また、「ＣＭＡＸ」チップへの昇格を示す信号である「切替信号２」である場合（Ｓ２７１：切替信号２）、「Ｃ３ｒｄ」チップは、「ＣＭＡＸ」チップとして振る舞うべく、図１９のＳ２３８の処理に進む。
【０１３８】
また、「Ｃ２ｎｄ」チップへの昇格を示す信号である「切替信号３」である場合（Ｓ２７１：切替信号３）、「Ｃ３ｒｄ」チップは、「Ｃ２ｎｄ」チップとして振る舞うべく、図２０のＳ２４２の処理に進む。
【０１３９】
また、「切替信号４」である場合（Ｓ２７１：切替信号４）、「他」チップが「ＣＭＡＸ」チップ又は「Ｃ２ｎｄ」チップ或いは「Ｃ３ｒｄ」チップに昇格する為、「Ｃ３ｒｄ」チップは、「他」チップへと降格する。従って、「Ｃ３ｒｄ」チップは、「他」チップとして振る舞うべく、図２２のＳ２８２の処理に進む。
【０１４０】
また更に、図２２のフローチャートに戻り、「他」チップの動作についても再び説明する。Ｓ２８３の処理において、「受信信号」を受信していないと判定した場合（Ｓ２８３：ＮＯ）、「他」チップは、「Ｃ３ｒｄ」チップによって作成され得る「受信信号Ｙ」を受信したか否かを判定する（Ｓ２９０）。ここで、「受信信号Ｙ」を受信したと判定した場合（Ｓ２９０：ＹＥＳ）、当該「受信信号Ｙ」が自身の作成した「昇格信号」に基づいたものであるか否かを判定する（Ｓ２９１）。自身の作成した「昇格信号」に基づいたものであると判定した場合（Ｓ２９１：ＹＥＳ）、「他」チップは、Ｓ２８８の「昇格信号」作成処理の履歴に基づき、いずれかのチップに変更する（Ｓ２９２）。「ＣＭＡＸ」チップに変更する場合（Ｓ２９２：ＣＭＡＸ）、「ＣＭＡＸ」チップとして振る舞うべく、図１９のＳ２３８の処理に進む。また、「Ｃ２ｎｄ」チップに変更する場合（Ｓ２９２：Ｃ２ｎｄ）、「Ｃ２ｎｄ」チップとして振る舞うべく、図２０のＳ２４２の処理に進む。また、「Ｃ３ｒｄ」チップに変更する場合（Ｓ２９２：Ｃ３ｒｄ）、「Ｃ３ｒｄ」チップとして振る舞うべく、図２１のＳ２６２の処理に進む。なお、「受信信号Ｙ」を受信していない（Ｓ２９０：ＮＯ）、又は、「受信信号Ｙ」が自身の作成した「昇格信号」に基づいたものでないと判定した場合（Ｓ２９１：ＮＯ）、自身は変わらず「他」チップである為、Ｓ２８２の処理に戻って「他」チップとしての処理を続行する。
【０１４１】
本実施例５では、Ｖ字型のアンテナに接続されたＤＳＴチップ２３０をアンテナ付きジャケットの下側のみに配置している。従って、本実施例４における効果に加え、信号伝送基板を一系統にしたことによるコストメリットも有する。
【０１４２】
また、本実施例４及び５では、各ＤＳＴチップで相互通信を実行している為、制御ユニット２２０の負担が他の実施例と比べて軽減されている。ただし別の観点においては、本実施例１では、各ＤＳＴチップ２３０の負担が、信号伝送のみに限定されている為、本実施例４及び５と比べて軽減されている。製造者は、要求される仕様に応じて制御ユニット２２０又はＤＳＴチップ２３０のいずれの負担を軽減させるかを選択し、アンテナ付きジャケットを設計することができる。
【０１４３】
なお、本実施例４及び５でも、本実施例１と同様に、計時部２２１ａによって計時される時刻を利用して位置特定を実行することが可能である。また、本実施例１の如きアンテナの配列であっても、本実施例４や５で実行される各処理を適用させることが可能である。また逆に、本実施例４や５の如きアンテナの配列であっても、本実施例１で実行される各処理を適用させることが可能である。
【実施例６】
【０１４４】
図２３は、本発明の実施例６のアンテナ付きジャケット２００ｚの構成を示した図である。本実施例６のアンテナ付きジャケット２００ｚには、本実施例１のアンテナ付きジャケット２００と同様に、複数のアンテナ１４０及び１５０が埋設されている。各アンテナ１４０、１５０の一端にはコネクタ部２４０が取り付けられている。コネクタ部２４０は、アンテナ付きジャケット２００の上側（着用時に被験者１の胸部付近に位置する箇所）、及び、下側端部においてそれぞれ複数個設置されている。
【０１４５】
またアンテナ付きジャケット２００ｚは、着脱可能な信号伝送基板１２０Ｕ’及び１２０Ｄ’を備えている。信号伝送基板１２０Ｕ’及び１２０Ｄ’は帯状に形成されている。信号伝送基板１２０Ｕ’及び１２０Ｄ’上には複数のＤＳＴチップ２３０が一列に並ぶよう設置されている。これらのＤＳＴチップ２３０はコネクタ部２４０と同一ピッチで配置されており、各コネクタ部２４０と機械的及び電気的に接続するための周知の構造（例えばスナップ構造等）を有している。このため各ＤＳＴチップ２３０と各コネクタ部２４０とが接続されたとき、各アンテナ１４０及び１５０がコネクタ部２４０を介してＤＳＴチップ２３０と電気的に接続される。これにより、本実施例６のアンテナ付きジャケット２００ｚは、本実施例１のアンテナ付きジャケット２００と同様に機能することが可能となる。
【０１４６】
ここで、アンテナ付きジャケットに対する要望として、例えば衛生上の理由により、アンテナ付きジャケットを「使い捨て」として、又は、毎回洗浄して使用したいというものが想定される。ところがＤＳＴチップ２３０は比較高価な部品である。従ってアンテナ付きジャケットを「使い捨て」とすることは実使用上において困難であり得た。またＤＳＴチップ２３０は耐水性もないため、洗浄もできなかった。
【０１４７】
そこで、本発明の実施例６の如く、ＤＳＴチップ２３０を実装した信号伝送基板１２０Ｕ’及び１２０Ｄ’をアンテナ付きジャケット２００ｚから着脱自在としたことにより、比較的安価なジャケット部分のみを使い捨てにして、信号伝送基板１２０Ｕ’及び１２０Ｄ’を繰り返し使用することが可能となる。これにより、ランニングコストを大幅に抑えることが可能となる。また耐水性のないＤＳＴチップ２３０を着脱自在としたことにより、洗浄可能なアンテナ付きジャケットを提供することも可能となる。
【０１４８】
以上が本発明の実施例である。本発明はこれらの実施例に限定されるものではなく様々な範囲で変形が可能である。
【０１４９】
なお、各実施例ではアンテナによって捕捉された「受信ビデオ信号」や強度情報等を２Ｄ−ＤＳＴによって制御ユニット２２０に伝送しているが、別の実施例ではケーブルやパターン等を用いたディジーチェインの形態で各種信号を伝送するようにしても良い。
【０１５０】
また、各実施例では３又は４本のアンテナを用いてカプセル型内視鏡１００の位置を特定しているが、別の実施例ではより多くのアンテナを用いて当該位置を特定しても良い。位置特定に用いるアンテナが多ければ多いほど、位置特定精度が向上する。
【０１５１】
また、受信データ取得時（リアルタイム）に受信位置の判断が誤っていたとしても、記録された受信データには受信チップのＩＤが添付されているため、最終的な受信位置特定（推定）は、外部処理システム３００に受信データ全てを移送した後、改めて解析し直し、取得出来た受信データの位置を校正し、再特定（推定）することが出来る。
【図面の簡単な説明】
【０１５２】
【図１】本発明の実施例１の内視鏡システムの構成を示したブロック図である。
【図２】本発明の実施例１のカプセル型内視鏡の構成を示したブロック図である。
【図３】本発明の実施例１の内視鏡システムの中からアンテナ付きジャケットを抽出して示した図である。
【図４】本発明の実施例１のアンテナ付きジャケットの断面図である。
【図５】本発明の実施例１のアンテナ付きジャケットにおけるアンテナ部分及びチップ部分の配置を二次元に展開して示した図である。
【図６】本発明の実施例１のＤＳＴチップの構成を示したブロック図である。
【図７】本発明の実施例１の制御ユニットの構成を示したブロック図である。
【図８】本発明の実施例１のカプセル型内視鏡の位置を特定する位置特定処理を示したフローチャートである。
【図９】本発明の実施例２のアンテナ付きジャケットの断面図である。
【図１０】本発明の実施例３のアンテナ付きジャケットの構成を示した図である。
【図１１】本発明の実施例４のアンテナ付きジャケットにおけるアンテナ部分及びチップ部分の配置を二次元に展開して示した図である。
【図１２】本発明の実施例４のカプセル型内視鏡の位置を特定する位置特定処理を示したフローチャートである。
【図１３】本発明の実施例４の各ＤＳＴチップの制御部が実行する初期動作処理を示したフローチャートである。
【図１４】本発明の実施例４の「ＡＭＡＸ」チップの動作を示したフローチャートである。
【図１５】本発明の実施例４の「Ａ２ｎｄ」チップの動作を示したフローチャートである。
【図１６】本発明の実施例４の「他」チップの動作を示したフローチャートである。
【図１７】本発明の実施例５のアンテナ付きジャケットにおけるアンテナ部分及びチップ部分の配置を二次元に展開して示した図である。
【図１８】本発明の実施例５の各ＤＳＴチップの制御部が実行する初期動作処理を示したフローチャートである。
【図１９】本発明の実施例５の「ＣＭＡＸ」チップの動作を示したフローチャートである。
【図２０】本発明の実施例５の「Ｃ２ｎｄ」チップの動作を示したフローチャートである。
【図２１】本発明の実施例５の「Ｃ３ｒｄ」チップの動作を示したフローチャートである。
【図２２】本発明の実施例５の「他」チップの動作を示したフローチャートである。
【図２３】本発明の実施例６の内視鏡システムに備えられたアンテナ付きジャケットを示した図である。
【符号の説明】
【０１５３】
１０  内視鏡システム
１００  カプセル型内視鏡
１４０、１５０  アンテナ
２００  アンテナ付きジャケット
２２０  制御ユニット
２３０  ＤＳＴチップ
【図１】
2008099734.tif 000003
【図２】
2008099734.tif 000004
【図３】
2008099734.tif 000005
【図４】
2008099734.tif 000006
【図５】
2008099734.tif 000007
【図６】
2008099734.tif 000008
【図７】
2008099734.tif 000009
【図８】
2008099734.tif 000010
【図９】
2008099734.tif 000011
【図１０】
2008099734.tif 000012
【図１１】
2008099734.tif 000013
【図１２】
2008099734.tif 000014
【図１３】
2008099734.tif 000015
【図１４】
2008099734.tif 000016
【図１５】
2008099734.tif 000017
【図１６】
2008099734.tif 000018
【図１７】
2008099734.tif 000019
【図１８】
2008099734.tif 000020
【図１９】
2008099734.tif 000021
【図２０】
2008099734.tif 000022
【図２１】
2008099734.tif 000023
【図２２】
2008099734.tif 000024
【図２３】
2008099734.tif 000025